(57)【要約】  蒸発ガスの再液化システムを開示する。  本発明の蒸発ガスの再液化システムは、蒸発ガスを圧縮する圧縮機、前記圧縮機で圧縮された蒸発ガスを、前記圧縮機で圧縮される前の蒸発ガスを冷媒として使用して熱交換により冷却する熱交換器、前記熱交換器の下流に設置されて、前記熱交換器で冷却された流体を減圧する減圧装置及び前記減圧装置の下流に設置される第２オイルフィルタを備え、前記圧縮機は給油式シリンダーを少なくとも１つ以上備え、前記第２オイルフィルタが極低温用である。
2020533526.tif 000002
【特許請求の範囲】
【請求項１】
蒸発ガスを圧縮する圧縮機；
前記圧縮機で圧縮された蒸発ガスを、前記圧縮機で圧縮される前の蒸発ガスを冷媒として使用して熱交換により冷却する熱交換器；
前記熱交換器の下流に設置されて、前記熱交換器で冷却された流体を減圧する減圧装置；及び
前記減圧装置の下流に設置される第２オイルフィルタ；を備え、
前記圧縮機は給油式シリンダーを少なくとも１つ以上備え、
前記第２オイルフィルタが極低温用であることを特徴とする蒸発ガスの再液化システム。
【請求項２】
蒸発ガスを圧縮する圧縮機；
前記圧縮機で圧縮された蒸発ガスを、前記圧縮機で圧縮される前の蒸発ガスを冷媒として使用して熱交換により冷却する熱交換器；
前記熱交換器の下流に設置されて、前記熱交換器で冷却された流体を減圧する減圧装置；
前記減圧装置の下流に設置されて、再液化された液化ガスと気体状態で残っている蒸発ガスとを分離する気液分離器；及び
前記気液分離器で分離された液化ガスを排出する第５供給ライン上に設置される第２オイルフィルタ；を備え、
前記圧縮機は給油式シリンダーを少なくとも１つ以上備え、
前記第２オイルフィルタが極低温用であることを特徴とする蒸発ガスの再液化システム。
【請求項３】
蒸発ガスを圧縮する圧縮機；
前記圧縮機で圧縮された蒸発ガスを、前記圧縮機で圧縮される前の蒸発ガスを冷媒として使用して熱交換により冷却する熱交換器；
前記熱交換器の下流に設置されて、前記熱交換器で冷却された流体を減圧する減圧装置；
前記減圧装置の下流に設置されて、再液化された液化ガスと気体状態で残っている蒸発ガスとを分離する気液分離器；及び
前記気液分離器で分離された気体状態の蒸発ガスを排出する第６供給ライン上に設置される第２オイルフィルタ；を備え、
前記圧縮機は給油式シリンダーを少なくとも１つ以上備え、
前記第２オイルフィルタが極低温用であることを特徴とする蒸発ガスの再液化システム。
【請求項４】
前記第２オイルフィルタが、固体状態の潤滑油を分離することを特徴とする請求項１〜３のいずれか１項記載の蒸発ガスの再液化システム。
【請求項５】
前記減圧装置の下流に設置されて、再液化された液化ガスと気体状態で残っている蒸発ガスとを分離する気液分離器をさらに備え、
前記第２オイルフィルタが、前記減圧装置と前記気液分離器との間に設置されることを特徴とする請求項１記載の蒸発ガスの再液化システム。
【請求項６】
前記第２オイルフィルタが、「上部排出型」であることを特徴とする請求項１または３〜５のいずれか１項記載の蒸発ガスの再液化システム。
【請求項７】
前記気液分離器で分離された後に前記第５供給ラインを介して排出される液化ガスを、貯蔵タンクに送ることを特徴とする請求項２記載の蒸発ガスの再液化システム。
【請求項８】
前記第２オイルフィルタが、「下部排出型」であることを特徴とする請求項２〜７のいずれか１項記載の蒸発ガスの再液化システム。
【請求項９】
前記圧縮機が、１５０〜３５０ｂａｒの圧力範囲で蒸発ガスを圧縮することを特徴とする請求項１〜３のいずれか１項記載の蒸発ガスの再液化システム。
【請求項１０】
前記圧縮機が、８０〜２５０ｂａｒの圧力範囲で蒸発ガスを圧縮することを特徴とする請求項１〜３のいずれか１項記載の蒸発ガスの再液化システム。
【請求項１１】
前記熱交換器が、マイクロチャンネル型の流路を備えることを特徴とする請求項１〜３のいずれか１項記載の蒸発ガスの再液化システム。
【請求項１２】
前記熱交換器が、ＰＣＨＥであることを特徴とする請求項１１記載の蒸発ガスの再液化システム。
【請求項１３】
蒸発ガスを前記熱交換器から迂回させて前記圧縮機に供給するバイパスラインをさらに備えることを特徴とする請求項１〜３のいずれか１項記載の蒸発ガスの再液化システム。
【請求項１４】
前記熱交換器の低温流路の上流に設置されて、流体の流量及び開閉を調節する第１バルブをさらに備え、
前記バイパスラインが、前記第１バルブの上流で分岐することを特徴とする請求項１３記載の蒸発ガスの再液化システム。
【請求項１５】
前記熱交換器の低温流路の下流に設置されて、流体の流量及び開閉を調節する第２バルブをさらに備え、
前記バイパスラインを前記第２バルブの下流に合流させることを特徴とする請求項１３記載の蒸発ガスの再液化システム。
【請求項１６】
前記圧縮機の下流に設置されて、蒸発ガスに混在した潤滑油を分離する第１オイルフィルタをさらに備えることを特徴とする請求項１〜３のいずれか１項記載の蒸発ガスの再液化システム。
【請求項１７】
前記第１オイルフィルタが、気体状態または霧状の潤滑油を分離することを特徴とする請求項１６記載の蒸発ガスの再液化システム。
【発明の詳細な説明】
【技術分野】
【０００１】
本発明は、液化ガスが自然気化して生成した蒸発ガス（ＢＯＧ；Boil-Off Gas）を再液化する再液化システム及び再液化方法に関する。より詳細には、液化天然ガス（ＬＮＧ；Liquefied Natural Gas）の貯蔵タンク内部で発生した蒸発ガスのうち、エンジンで使用されずに余った余剰蒸発ガスを、蒸発ガス自体を冷媒として使用して再液化する再液化システムに関する。
【背景技術】
【０００２】
近年、液化天然ガス（ＬＮＧ）などの液化ガスの消費量が世界的に急増しつつある。ガスを低温で液化した液化ガスは、気体に比べて体積が非常に減少するため、貯蔵及び移送効率が高まるという長所がある。また、ＬＮＧなどの液化ガスは、液化工程中に大気汚染物質が除去または低減され、燃焼時に大気汚染物質の排出が少なく、環境にやさしい燃料である。
【０００３】
ＬＮＧは、メタン（methane）が主成分である天然ガスを、約−１６３℃に冷却して液化することで得られる無色透明な液体であり、天然ガスに比べて体積が約１／６００である。したがって、天然ガスを液化して移送することで、非常に効率的な移送が可能となる。
【０００４】
しかし、天然ガスの液化温度は常圧で−１６３℃の極低温であり、ＬＮＧは温度変化に敏感であるため、直ぐに蒸発してしまう。そのため、ＬＮＧを貯蔵する貯蔵タンクには断熱処理が施されるが、外部熱が貯蔵タンクまで継続的に伝達されて、ＬＮＧの輸送過程で貯蔵タンク内では継続的にＬＮＧが自然気化して蒸発ガス（ＢＯＧ）が発生する。
【０００５】
蒸発ガスは損失の１つであって、輸送効率において重要な問題である。また、貯蔵タンク内に蒸発ガスが蓄積されると、タンク内圧が上昇し過ぎてしまい、極端な場合にはタンク破損の虞もある。したがって、貯蔵タンク内で発生する蒸発ガスを処理する様々な方法が研究され、最近では蒸発ガスを処理するために、蒸発ガスを再液化して貯蔵タンクに戻す方法、蒸発ガスを船舶のエンジンなどの燃料消費先のエネルギー源として使用する方法などが利用されている。
【０００６】
蒸発ガスを再液化する方法には、別の冷媒を用いた冷凍サイクルを備え、蒸発ガスを冷媒との熱交換により再液化する方法、別の冷媒を用いずに蒸発ガス自体を冷媒として再液化する方法などがある。特に、後者の方法を採用したシステムを部分再液化システム（Partial Re-liquefaction System，ＰＲＳ）という。
【０００７】
また、船舶で一般的に使用するエンジンのうち、天然ガスを燃料として使用することができるエンジンには、ＤＦＤＥ、Ｘ−ＤＦエンジン、ＭＥ−ＧＩエンジンなどのガス燃料エンジンがある。
【０００８】
ＤＦＤＥは４ストローク機関であり、比較的低圧である６．５ｂａｒ程度の圧力の天然ガスを燃焼空気入口に注入して、ピストンを上昇させながら圧縮するオットーサイクル（Otto Cycle）を採用している。
【０００９】
Ｘ−ＤＦエンジンは２ストローク機関であり、１６ｂａｒ程度の天然ガスを燃料として使用して、オットーサイクルを採用している。
【００１０】
ＭＥ−ＧＩエンジンは２ストローク機関であり、３００ｂａｒ程度の高圧天然ガスをピストンの上死点付近で燃焼室に直接噴射するディーゼルサイクル（Diesel Cycle）を採用している。
【発明の概要】
【発明が解決しようとする課題】
【００１１】
前述のように、特にＬＮＧ貯蔵タンクで発生する蒸発ガス（ＢＯＧ）を圧縮した後、別の冷媒を用いずに蒸発ガス自体を冷媒として利用して、互いに熱交換させて蒸発ガスを再液化する場合、再液化の効率を高めるためには、蒸発ガスを高圧で圧縮する必要があり、蒸発ガスを高圧で圧縮するためには、給油方式のシリンダー圧縮機を使用する必要がある。
【００１２】
給油方式のシリンダー圧縮機で圧縮された蒸発ガスには、潤滑油（Lubrication Oil）が混在することになる。本発明の発明者らは、上記圧縮された蒸発ガスを熱交換器で冷却させると、圧縮された蒸発ガスに混入した潤滑油が蒸発ガスより先に凝縮または凝固して、熱交換器の流路が塞がれるという問題を発見した。特に、流路が狭い場合（例えば、マイクロチャネル型（Microchannel Type）流路、ＰＣＨＥ（Printed Circuit Heat Exchanger，ＤＣＨＥともいう。））、凝縮または凝固した潤滑油が熱交換器の流路を塞ぐ現象がより頻繁に発生する。
【００１３】
本発明の発明者らは、凝縮または凝固した潤滑油が熱交換器の流路を塞ぐ現象を防止または軽減するために、圧縮された蒸発ガスに混入したオイルを分離する様々な技術を開発している。
【００１４】
本発明は、凝縮または凝固した潤滑油が熱交換器の流路を塞ぐ現象を軽減または改善することができ、さらに、熱交換器の流路を塞ぐ凝縮または凝固した潤滑油を簡単かつ経済的な方法で除去することができる再液化システム及び再液化方法を提案する。
【課題を解決するための手段】
【００１５】
上記目的を達成するため本発明の一実施形態は、蒸発ガスを圧縮する圧縮機、前記圧縮機で圧縮された蒸発ガスを、前記圧縮機で圧縮される前の蒸発ガスを冷媒として使用して熱交換により冷却する熱交換器、前記熱交換器の下流に設置されて、前記熱交換器で冷却された流体を減圧する減圧装置、前記減圧装置の下流に設置される第２オイルフィルタを備え、前記圧縮機は給油式シリンダーを少なくとも１つ以上備え、前記第２オイルフィルタが極低温用である、蒸発ガスの再液化システムを提供する。
【００１６】
上記目的を達成するため本発明の他の実施形態は、蒸発ガスを圧縮する圧縮機、前記圧縮機で圧縮された蒸発ガスを、前記圧縮機で圧縮される前の蒸発ガスを冷媒として使用して熱交換により冷却する熱交換器、前記熱交換器の下流に設置されて、前記熱交換器で冷却された流体を減圧する減圧装置、前記減圧装置の下流に設置されて、再液化された液化ガスと気体状態で残っている蒸発ガスとを分離する気液分離器、前記気液分離器で分離された液化ガスを排出する第５供給ライン上に設置される第２オイルフィルタを備え、前記圧縮機は給油式シリンダーを少なくとも１つ以上備え、前記第２オイルフィルタが極低温用である、蒸発ガスの再液化システムを提供する。
【００１７】
上記目的を達成するため本発明のさらに他の実施形態は、蒸発ガスを圧縮する圧縮機、前記圧縮機で圧縮された蒸発ガスを、前記圧縮機で圧縮される前の蒸発ガスを冷媒として使用して熱交換により冷却する熱交換器、前記熱交換器の下流に設置されて、前記熱交換器で冷却された流体を減圧する減圧装置、前記減圧装置の下流に設置されて、再液化された液化ガスと気体状態で残っている蒸発ガスとを分離する気液分離器、前記気液分離器で分離された気体状態の蒸発ガスを排出する第６供給ライン上に設置される第２オイルフィルタを備え、前記圧縮機は給油式シリンダーを少なくとも１つ以上備え、前記第２オイルフィルタが極低温用である、蒸発ガスの再液化システムを提供する。
【００１８】
前記第２オイルフィルタは、固体状態の潤滑油を分離することができる。
【００１９】
前記蒸発ガスの再液化システムは、前記減圧装置の下流に設置されて、再液化された液化ガスと気体状態で残っている蒸発ガスとを分離する気液分離器をさらに備え、前記第２オイルフィルタが前記減圧装置と前記気液分離器との間に設置される。
【００２０】
前記第２オイルフィルタは、「上部排出型」であり得る。
【００２１】
前記気液分離器で分離された後に前記第５供給ラインを介して排出される液化ガスを、貯蔵タンクに送ることができる。
【００２２】
前記第２オイルフィルタは、「下部排出型」であり得る。
【００２３】
前記圧縮機は、１５０〜３５０ｂａｒの圧力範囲で蒸発ガスを圧縮することができる。
【００２４】
前記圧縮機は、８０〜２５０ｂａｒの圧力範囲で蒸発ガスを圧縮することができる。
【００２５】
前記熱交換器は、マイクロチャンネル型の流路を備える。
【００２６】
前記熱交換器は、ＰＣＨＥであり得る。
【００２７】
前記蒸発ガスの再液化システムは、蒸発ガスを前記熱交換器から迂回させて前記圧縮機に供給するバイパスラインをさらに備える。
【００２８】
前記蒸発ガスの再液化システムは、前記熱交換器の低温流路の上流に設置されて、流体の流量及び開閉を調節する第１バルブをさらに備え、前記バイパスラインが前記第１バルブの上流で分岐する。
【００２９】
前記蒸発ガスの再液化システムは、前記熱交換器の低温流路の下流に設置されて、流体の流量及び開閉を調節する第２バルブをさらに備え、前記バイパスラインを前記第２バルブの下流に合流させる。
【００３０】
前記蒸発ガスの再液化システムは、前記圧縮機の下流に設置されて、蒸発ガスに混在した潤滑油を分離する第１オイルフィルタをさらに備える。
【００３１】
前記第１オイルフィルタは、気体状態または霧状の潤滑油を分離することができる。
【００３２】
上記目的を達成するため本発明のさらに他の実施形態は、蒸発ガスを圧縮機で圧縮し、圧縮された蒸発ガスを圧縮される前の蒸発ガスと熱交換器で熱交換により冷却して、熱交換により冷却された流体を減圧装置で減圧して、蒸発ガスを再液化するシステム内の潤滑油排出方法において、前記熱交換器で冷媒として使用される蒸発ガスは、第１供給ラインを介して前記熱交換器に供給され、前記熱交換器で冷媒として使用された蒸発ガスは、第２供給ラインを介して前記圧縮機に供給され、前記熱交換器で冷媒として使用される前の蒸発ガスは、バイパスラインを介して前記熱交換器を迂回して、前記圧縮機に供給され、前記バイパスライン上に流体の流量及び開閉を調節するバイパスバルブが設置され、前記第１供給ライン上の前記熱交換器の上流に流体の流量及び開閉を調節する第１バルブが設置され、前記第２供給ライン上の前記熱交換器の下流に流体の流量及び開閉を調節する第２バルブが設置され、前記圧縮機は給油式シリンダーを少なくとも１つ以上備え、前記圧縮機は１５０〜３５０ｂａｒの圧力範囲で蒸発ガスを圧縮し、２）前記バイパスバルブを開けて、前記第１バルブ及び前記第２バルブを閉めるステップ、３）前記熱交換器で冷媒として使用される前の蒸発ガスが、前記バイパスラインを通って前記圧縮機によって圧縮されるステップ及び４）前記圧縮機で圧縮された蒸発ガスの一部または全部を前記熱交換器に送るステップを備え、前記圧縮機で圧縮されて温度が上昇した蒸発ガスによって凝縮または凝固した潤滑油を融解または粘度を低下させて排出することを特徴とする、潤滑油の排出方法を提供する。
【００３３】
上記目的を達成するため本発明のさらに他の実施形態は、蒸発ガスを圧縮する圧縮機、前記圧縮機で圧縮された蒸発ガスを貯蔵タンクから排出された蒸発ガスを冷媒として熱交換により冷却する熱交換器、前記熱交換器で冷媒として使用される蒸発ガスを前記熱交換器に供給する第１供給ライン上に設置され、流体の流量及び開閉を調節する第１バルブ、前記熱交換器で冷媒として使用された蒸発ガスを前記圧縮機に供給する第２供給ライン上に設置され、流体の流量及び開閉を調節する第２バルブ、蒸発ガスを前記熱交換器から迂回させて前記圧縮機に供給するバイパスライン、前記熱交換器の下流に設置され、前記熱交換器で冷却された流体を減圧する減圧装置を備え、前記圧縮機は給油式シリンダーを少なくとも１つ以上備え、前記圧縮機は１５０〜３５０ｂａｒの圧力範囲で蒸発ガスを圧縮し、前記バイパスラインを前記第１バルブの上流の前記第１供給ラインから分岐させて、前記第２バルブの下流の前記第２供給ラインに合流させる、蒸発ガスの再液化システムを提供する。
【００３４】
上記目的を達成するため本発明のさらに他の実施形態は、蒸発ガスを圧縮機で圧縮し、圧縮された蒸発ガスを圧縮される前の蒸発ガスと熱交換器で熱交換により冷却して、熱交換により冷却された流体を減圧装置で減圧して、蒸発ガスを再液化するシステム内の潤滑油排出方法において、前記圧縮機は給油式シリンダーを少なくとも１つ以上備え、蒸発ガスをバイパスラインを介して前記熱交換器を迂回させた後に前記圧縮機で圧縮し、前記圧縮機で圧縮された蒸発ガスをエンジンに供給し、前記エンジンに供給されずに余った余剰蒸発ガスを前記熱交換器に供給して、前記圧縮機で圧縮されて温度が上昇した蒸発ガスによって凝縮または凝固した潤滑油を融解または粘度を低下させて排出することを特徴とする、潤滑油排出方法を提供する。
【００３５】
上記目的を達成するため本発明のさらに他の実施形態は、蒸発ガス自体を冷媒として使用し蒸発ガスを再液化するシステム内の潤滑油排出方法において、蒸発ガスの再液化時に、熱交換器は貯蔵タンクから排出された蒸発ガスを冷媒として使用して、圧縮機で圧縮された蒸発ガスを熱交換により冷却して、前記圧縮機は給油式シリンダーを少なくとも１つ以上備え、前記熱交換器を迂回するように設置され、前記熱交換器の整備時に使用されるバイパスラインにより凝縮または凝固した潤滑油を融解または粘度を低下させて排出する、潤滑油の排出方法が提供される。
【００３６】
上記目的を達成するために本発明のさらに他の実施形態は、凝縮または凝固した潤滑油を融解または粘度を低下させて排出する間も、エンジンに燃料を供給することを特徴とする、燃料供給方法を提供する。
【００３７】
上記目的を達成するために本発明のさらに他の実施形態は、蒸発ガスを圧縮する圧縮機、前記圧縮機で圧縮された蒸発ガスを、前記圧縮機で圧縮される前の蒸発ガスを冷媒として熱交換により冷却する熱交換器、前記熱交換器の下流に設置されて、前記熱交換器で冷却された流体を減圧する減圧装置、前記減圧装置の下流に設置されて、再液化された液化ガスと気体状態で残っている蒸発ガスとを分離する気液分離器を備え、前記圧縮機は給油式シリンダーを少なくとも１つ以上備え、前記気液分離器に、前記気液分離器の内部に溜まった潤滑油を排出する潤滑油排出ラインを連結する、蒸発ガスの再液化システムを提供する。
【００３８】
上記目的を達成するために本発明のさらに他の実施形態は、蒸発ガス自体を冷媒として使用して蒸発ガスを再液化するシステム内の潤滑油排出方法において、気液分離器内に溜まった潤滑油は潤滑油排出ラインを介して前記気液分離器から排出させて、前記潤滑油排出ラインは、蒸発ガスの再液化時に再液化された液化ガスを前記気液分離器から排出する第５供給ラインと別に設置されることを特徴とする、潤滑油排出方法を提供する。
【００３９】
前記目的を達成するために本発明のさらに他の実施形態は、蒸発ガスを圧縮する圧縮機、前記圧縮機で圧縮された蒸発ガスを、前記圧縮機で圧縮される前の蒸発ガスを冷媒として使用して熱交換により冷却する熱交換器、前記熱交換器の下流に設置されて、前記熱交換器で冷却された流体を減圧する減圧装置を備え、前記熱交換器の低温流路の上流に設置される第１温度センサと、前記熱交換器の高温流路の下流に設置される第４温度センサと、前記熱交換器の低温流路の下流に設置される第２温度センサと、前記熱交換器の高温流路の上流に設置される第３温度センサと、前記熱交換器の高温流路の上流に設置される第１圧力センサと、前記熱交換器の高温流路の下流に設置される第２圧力センサとのうち、いずれか１つ以上を備え、前記圧縮機は給油式シリンダーを少なくとも１つ以上備える、蒸発ガスの再液化システムを提供する。
【００４０】
前記目的を達成するために本発明のさらに他の実施形態は、蒸発ガスを圧縮する圧縮機、前記圧縮機で圧縮された蒸発ガスを、前記圧縮機で圧縮される前の蒸発ガスを冷媒として使用して熱交換により冷却する熱交換器、前記熱交換器の下流に設置されて、前記熱交換器で冷却された流体を減圧する減圧装置を備え、前記熱交換器の低温流路の上流に設置される第１温度センサと、前記熱交換器の高温流路の下流に設置される第４温度センサと、前記熱交換器の低温流路の下流に設置される第２温度センサと、前記熱交換器の高温流路の上流に設置される第３温度センサと、前記熱交換器の高温流路の上流と下流との圧力差を測定する差圧センサのいずれか１つ以上を備え、前記圧縮機は給油式シリンダーを少なくとも１つ以上備える、蒸発ガスの再液化システムを提供する。
【００４１】
前記目的を達成するために本発明のさらに他の実施形態は、蒸発ガスを圧縮機で圧縮し、圧縮された蒸発ガスを圧縮される前の蒸発ガスと熱交換器で熱交換により冷却して、熱交換により冷却された流体を減圧装置で減圧する蒸発ガスの再液化システムにおいて、前記圧縮機は給油式シリンダーを少なくとも１つ以上備え、前記熱交換器の性能の異常を検知したらアラームが鳴ることを特徴とする、蒸発ガスの再液化システムを提供する。
【００４２】
前記目的を達成するために本発明のさらに他の実施形態は、蒸発ガス自体を冷媒として使用して蒸発ガスを再液化するシステム内の潤滑油排出方法において、蒸発ガスの再液化時に熱交換器で蒸発ガス自体を冷媒として蒸発ガスを冷却し、前記熱交換器の低温流路の上流に設置される第１温度センサが測定した温度と前記熱交換器の高温流路の下流に設置される第４温度センサが測定した温度との差、及び、前記熱交換器の低温流路の下流に設置される第２温度センサが測定した温度と前記熱交換器の高温流路の上流に設置される第３温度センサが測定した温度との差のうち小さい値、または、前記熱交換器の高温流路の上流に設置される第１圧力センサが測定した圧力と前記熱交換器の高温流路の下流に設置される第２圧力センサが測定した圧力との差を指標として、凝縮または凝固した潤滑油を排出する必要があるか否かを判断する、潤滑油排出方法を提供する。
【００４３】
前記目的を達成するために本発明のさらに他の実施形態は、蒸発ガス自体を冷媒として使用し蒸発ガスを再液化するシステム内の潤滑油排出方法において、蒸発ガスの再液化時に熱交換器で蒸発ガス自体を冷媒として蒸発ガスを冷却し、前記熱交換器の低温流路の上流に設置される第１温度センサが測定した温度と前記熱交換器の高温流路の下流に設置される第４温度センサが測定した温度との差、及び、前記熱交換器の低温流路の下流に設置される第２温度センサが測定した温度と前記熱交換器の高温流路の上流に設置される第３温度センサが測定した温度との差のうち小さい値、または前記熱交換器の高温流路の上流と下流との圧力差を測定する差圧センサが測定した圧力との差を指標として、凝縮または凝固した潤滑油を排出する必要があるか否かを判断する、潤滑油排出方法を提供する。
【００４４】
前記目的を達成するために本発明のさらに他の実施形態は、蒸発ガスを圧縮機で圧縮し、圧縮された蒸発ガスを圧縮される前の蒸発ガスと熱交換器で熱交換により冷却して、熱交換により冷却された流体を減圧装置で減圧し、蒸発ガスを再液化するシステム内の潤滑油排出方法において、前記圧縮機は給油式シリンダーを少なくとも１つ以上備え、前記熱交換器の冷媒として使用される蒸発ガスの前記熱交換器の上流における温度と、前記圧縮機で圧縮された後に前記熱交換器で冷却された蒸発ガス温度との差（以下、「低温流れの温度差」という。）が第１設定値以上の状態を所定時間以上継続する条件、前記熱交換器の冷媒として使用された蒸発ガスの温度と、前記圧縮機で圧縮された後に前記熱交換器に送られる蒸発ガス温度との差（以下、「高温流れの温度差」という。）が第１設定値以上の状態を所定時間以上継続する条件及び、前記圧縮機で圧縮された後に前記熱交換器に送られる蒸発ガスの前記熱交換器の上流における圧力と、前記熱交換器で冷却された蒸発ガスの前記熱交換器の下流における圧力との差（以下、「高温流れの圧力差」という。）が第２設定値以上の状態を所定時間以上継続する条件のうちいずれか１つ以上を満たせば、「凝縮または凝固した潤滑油の排出時点」と判断する、潤滑油排出方法を提供する。
【００４５】
前記目的を達成するために本発明のさらに他の実施形態は、蒸発ガスを圧縮機で圧縮し、圧縮された蒸発ガスを圧縮される前の蒸発ガスと熱交換器で熱交換により冷却して、熱交換により冷却された流体を減圧装置で減圧し、蒸発ガスを再液化するシステム内の潤滑油排出方法において、前記圧縮機は給油式シリンダーを少なくとも１つ以上備え、前記熱交換器の冷媒として使用される蒸発ガスの前記熱交換器の上流における温度と、前記圧縮機で圧縮された後に前記熱交換器で冷却された蒸発ガス温度との差（以下、「低温流れの温度差」という。）及び、前記熱交換器の冷媒として使用された蒸発ガスの温度と、前記圧縮機で圧縮された後に前記熱交換器に送られる蒸発ガス温度との差（以下、「高温流れの温度差」という。）のうち小さい値が第１設定値以上の状態を所定時間以上継続するか、前記圧縮機で圧縮された後に前記熱交換器に送られる蒸発ガスの前記熱交換器の上流における圧力と、前記熱交換器で冷却された蒸発ガスの前記熱交換器の下流における圧力との差（以下、「高温流れの圧力差」という。）が第２設定値以上の状態を所定時間以上継続したら、「凝縮または凝固した潤滑油の排出時点」であると判断する、潤滑油排出方法を提供する。
【００４６】
前記目的を達成するために本発明のさらに他の実施形態は、蒸発ガス自体を冷媒として使用して蒸発ガスを再液化するシステム内の潤滑油排出方法において、設備の温度差と圧力差のうちいずれか１つ以上を指標にして、「凝縮または凝固した潤滑油の排出時点」を検知し、前記「凝縮または凝固した潤滑油の排出時点」をアラームで知らせることを特徴とする、潤滑油排出方法を提供する。
【００４７】
前記目的を達成するために本発明のさらに他の実施形態は、蒸発ガスを圧縮する圧縮機、前記圧縮機で圧縮された蒸発ガスを、前記圧縮機で圧縮される前の蒸発ガスを冷媒として使用して熱交換により冷却する熱交換器、及び前記熱交換器で冷却された流体を減圧する減圧装置を備える蒸発ガスの再液化システムにおいて、前記熱交換器の上流及び下流のいずれか１つ以上に設置されて前記熱交換器が潤滑油によって塞がったか否かを検知する検知手段及び、前記検知手段で検知された前記熱交換器が潤滑油によって塞がった現象を知らせるアラームを備える、蒸発ガスの再液化システムを提供する。
【００４８】
前記目的を達成するために本発明のさらに他の実施形態は、蒸発ガスを圧縮する圧縮機、前記圧縮機で圧縮された蒸発ガスを、前記圧縮機で圧縮される前の蒸発ガスを冷媒として使用して熱交換により冷却する熱交換器、前記熱交換器の下流に設置されて、前記熱交換器で冷却された流体を減圧する減圧装置、前記熱交換器の冷媒として使用される蒸発ガスを、前記熱交換器の上流で前記熱交換器を迂回させて前記圧縮機に供給するバイパスライン及び、前記バイパスライン上に設置されて流体の流量及び開閉を調節するバイパスバルブを備え、前記圧縮機に供給される蒸発ガスの圧力が、前記圧縮機が必要とする吸入圧力条件よりも低い場合には、前記バイパスバルブの一部または全部を開けることを特徴とする、蒸発ガスの再液化システムを提供する。
【００４９】
前記目的を達成するために本発明のさらに他の実施形態は、蒸発ガスを圧縮機で圧縮し、圧縮された蒸発ガスを圧縮される前の蒸発ガスと熱交換器で熱交換により冷却して、熱交換により冷却された流体を減圧装置で減圧して、蒸発ガスを再液化するシステムのエンジンに燃料を供給する方法において、前記圧縮機に供給される蒸発ガスの圧力が、前記圧縮機が必要とする吸入圧力条件よりも低い場合には、前記圧縮機に供給される蒸発ガスの一部または全部が前記熱交換器を迂回して前記圧縮機に供給される、燃料供給方法を提供する。
【００５０】
前記目的を達成するために本発明のさらに他の実施形態は、蒸発ガスを圧縮する圧縮機、前記圧縮機で圧縮された蒸発ガスを、前記圧縮機で圧縮される前の蒸発ガスを冷媒として熱交換により冷却する熱交換器、蒸発ガスを前記熱交換器から迂回させて前記圧縮機に供給するバイパスライン、前記熱交換器の冷媒として使用された蒸発ガスを前記圧縮機に送る第２供給ライン上に設置されて流体の流量及び開閉を調節する第２バルブ、前記熱交換器の下流に設置されて、前記熱交換器で冷却された流体を減圧する減圧装置を備え、前記圧縮機は給油式シリンダーを少なくとも１つ以上備え、前記バイパスラインは、前記第２バルブの下流の前記第２供給ラインに合流する、蒸発ガスの再液化システムを提供する。
【００５１】
前記目的を達成するために本発明のさらに他の実施形態は、蒸発ガスを圧縮機で圧縮し、圧縮された蒸発ガスを圧縮される前の蒸発ガスと熱交換器で熱交換により冷却して、熱交換により冷却された流体を減圧装置で減圧し、蒸発ガスを再液化するシステム内の潤滑油排出方法において、前記圧縮機は給油式シリンダーを少なくとも１つ以上備え、前記熱交換器の冷媒として使用された蒸発ガスを前記圧縮機に送る第２供給ライン上に流体の流量及び開閉を調節する第２バルブが設置されて、蒸発ガスをバイパスラインを介して前記熱交換器から迂回させた後に前記圧縮機で圧縮し、前記エンジンに供給して余った余剰蒸発ガスを前記熱交換器に供給し、前記圧縮機で圧縮されて温度が上昇した蒸発ガスで凝縮した潤滑油を融解して排出し、前記バイパスラインは、前記第２バルブの下流の前記第２供給ラインに合流する、潤滑油排出方法を提供する。
【００５２】
前記目的を達成するために本発明のさらに他の実施形態は、蒸発ガスを圧縮する圧縮機、前記圧縮機で圧縮された蒸発ガスを、前記圧縮機で圧縮される前の蒸発ガスを冷媒として熱交換により冷却する熱交換器、蒸発ガスを前記熱交換器から迂回させて前記圧縮機に供給するバイパスライン、前記熱交換器の冷媒として使用される蒸発ガスを前記熱交換器に供給する第１供給ライン上に設置されて流体の流量及び開閉を調節する第１バルブ、前記熱交換器の下流に設置され、前記熱交換器で冷却された流体を減圧する減圧装置を備え、前記圧縮機は給油式シリンダーを少なくとも１つ以上備え、前記バイパスラインは、前記第１バルブの上流の前記第１供給ラインから分岐する、蒸発ガスの再液化システムを提供する。
【００５３】
前記目的を達成するために本発明のさらに他の実施形態は、蒸発ガスを圧縮する圧縮機、前記圧縮機で圧縮された蒸発ガスを、前記圧縮機で圧縮される前の蒸発ガスを冷媒として熱交換により冷却する熱交換器、前記熱交換器の冷媒として使用される蒸発ガスは、前記第１熱交換器に供給する第１供給ラインから分岐して、蒸発ガスを前記熱交換器から迂回させて前記圧縮機に供給するバイパスライン、前記熱交換器の下流に設置されて、前記熱交換器で冷却された流体を減圧する減圧装置、前記減圧装置の下流に設置されて、再液化された液化ガスと気体状態で残っている蒸発ガスとを分離する気液分離器を備え、前記圧縮機は給油式シリンダーを少なくとも１つ以上備え、前記気液分離器で分離された気体状態の蒸発ガスは第６供給ラインを介して前記気液分離器から排出され、前記第６供給ラインは、前記バイパスラインが分岐するポイントの上流の第１供給ラインに合流する、蒸発ガスの再液化システムを提供する。
【発明の効果】
【００５４】
本発明は、別の機器の追加設置や潤滑油を除去するための別の流体を供給する必要がなく、既存の設備だけで、簡単かつ経済的に熱交換器の内部で凝縮または凝固した潤滑油を除去することができる。
【００５５】
本発明は、熱交換器の内部で凝縮または凝固した潤滑油を除去する間も、エンジンを駆動させて、エンジンを運転させながら熱交換器を整備することができる。また、エンジンで使用されずに余った余剰蒸発ガスを利用し、凝縮または凝固した潤滑油を除去することができる。また、蒸発ガスに混合した潤滑油をエンジンで燃焼できるという長所がある。
【００５６】
本発明は、改良した気液分離器を利用して、融解または粘度が低下した潤滑油を気液分離器に溜めて、効率的に排出することができるという長所がある。
【００５７】
本発明は、減圧装置の下流、気液分離器から液化ガスが排出される第５供給ライン、及び気液分離器から蒸発ガスが排出される第６供給ラインのいずれか１か所以上に、極低温用のオイルフィルタを設置し、蒸発ガスに混在した潤滑油を効果的に除去することができるという長所がある。
【００５８】
本発明は、別の設備を追加設置する必要がなく、既存の設備だけで、簡単かつ経済的に圧縮機が要求する吸入圧力の条件を満たしながら、再液化性能を維持しつつ、エンジンが要求する燃料消費量を満たすことができる。
【図面の簡単な説明】
【００５９】
【図１】本発明の第１実施形態に係る蒸発ガスの再液化システムの概略図。
【図２】本発明の第２実施形態に係る蒸発ガスの再液化システムの概略図。
【図３】本発明の第３実施形態に係る蒸発ガスの再液化システムの概略図。
【図４】本発明の一実施形態に係る気液分離器の拡大図。
【図５】本発明の一実施形態に係る第２オイルフィルタの拡大図。
【図６】本発明の他の実施形態に係る第２オイルフィルタの拡大図。
【図７】本発明の第４実施形態に係る蒸発ガスの再液化システムの概略図。
【図８】本発明の一実施形態に係る減圧装置の拡大図。
【図９】本発明の他の実施形態に係る減圧装置の拡大図。
【図１０】本発明の一実施形態に係る熱交換器及び気液分離器の拡大図。
【図１１】部分再液化システム（Partial Re-liquefaction System，ＰＲＳ）において、蒸発ガスの圧力による再液化量を示すグラフ。
【図１２】部分再液化システム（Partial Re-liquefaction System，ＰＲＳ）において、蒸発ガスの圧力による再液化量を示すグラフ。
【図１３】図５及び図６に図示したフィルタエレメントの平面図。
【発明を実施するための形態】
【００６０】
以下、添付した図面を参照して、本発明の実施形態に係る構成と作用を詳細に説明する。本発明の蒸発ガスの再液化システムは、天然ガスを燃料として使用するエンジンを搭載した船舶、液化ガス貯蔵タンクを備える船舶または海洋構造物などに、様々な応用及び適用が可能である。また、下記実施形態は、様々な形態に変形することができ、本発明の範囲は下記の実施形態に限定されない。
【００６１】
また、本発明の各ラインでの流体は、システムの運用条件に応じて、液体状態、気液混合状態、気体状態、超臨界流体の状態のいずれかの状態である。
【００６２】
図１は、本発明の第１実施形態に係る蒸発ガスの再液化システムの概略図である。
【００６３】
図１を参照して、本実施形態の蒸発ガスの再液化システムは、圧縮機２００、熱交換器１００、減圧装置６００、バイパスラインＢＬ、及びバイパスバルブ５９０を備える。
【００６４】
圧縮機２００は、貯蔵タンクＴから排出された蒸発ガスを圧縮し、複数のシリンダー２１０，２２０，２３０，２４０，２５０及び複数の冷却器２１１，２２１，２３１，２４１，２５１を備える。圧縮機２００で圧縮された蒸発ガスの圧力は、約１５０〜３５０ｂａｒである。
【００６５】
圧縮機２００で圧縮された蒸発ガスは、一部が燃料供給ラインＳＬを介して船舶を推進するための主エンジンに送られ、主エンジンで使用されない残りの蒸発ガスは、第３供給ラインＬ３を介して熱交換器１００に送られて再液化過程を実施する。主エンジンは、約３００ｂａｒの圧力の高圧天然ガスを燃料として使用するＭＥ−ＧＩエンジンである。
【００６６】
圧縮機２００に設けられた一部のシリンダー２１０，２２０だけを経由した蒸発ガスは、一部が分岐して発電機に送られる。本実施形態の発電機は、約６．５ｂａｒの圧力の低圧天然ガスを燃料として使用するＤＦエンジンである。
【００６７】
熱交換器１００は、第１供給ラインＬ１を介して供給される貯蔵タンクＴから排出された蒸発ガスを冷媒として使用して、第３供給ラインＬ３を介して供給される圧縮機２００で圧縮された蒸発ガスを熱交換により冷却する。熱交換器１００の冷媒として使用された蒸発ガスは、第２供給ラインＬ２を介して圧縮機２００に供給され、熱交換器１００で冷却された流体は、第４供給ラインＬ４を介して減圧装置６００に供給される。
【００６８】
減圧装置６００は、圧縮機２００で圧縮された後に熱交換器１００で冷却された蒸発ガスを減圧する。圧縮機２００による圧縮過程は、熱交換器１００による冷却過程、及び減圧装置６００による減圧過程を経た蒸発ガスは、一部または全部が再液化される。減圧装置６００は、ジュール−トムソン（Joule-Thomson）バルブなどの膨張バルブ、または膨張機である。
【００６９】
本実施形態の蒸発ガスの再液化システムは、減圧装置６００の下流に設置され、圧縮機２００、熱交換器１００、及び減圧装置６００を通過して再液化されたＬＮＧと、気体状態で残っている蒸発ガスとを分離する気液分離器７００をさらに備える。
【００７０】
気液分離器７００で分離された液化ガスは、第５供給ラインＬ５を介して貯蔵タンクＴに送られて、気液分離器７００で分離された蒸発ガスは、貯蔵タンクＴから排出された蒸発ガスと合流して熱交換器１００に送られる。
【００７１】
気液分離器７００から気体状態の蒸発ガスが排出される第６供給ラインＬ６上には、流体の流量及び開閉を調節する第９バルブ５８２が設置される。
【００７２】
本実施形態の熱交換器１００が維持補修中である場合や熱交換器１００が故障した場合など、熱交換器１００を使用できない場合に、貯蔵タンクＴから排出された蒸発ガスを、バイパスラインＢＬを介して熱交換器１００を迂回させる。バイパスラインＢＬ上には、バイパスラインＢＬを開閉するバイパスバルブ５９０が設置される。
【００７３】
図２は、本発明の第２実施形態に係る蒸発ガスの再液化システムの概略図である。
【００７４】
図２を参照して、本実施形態の蒸発ガスの再液化システムは、熱交換器１００、第１バルブ５１０、第２バルブ５２０、第１温度センサ８１０、第２温度センサ８２０、圧縮機２００、第３温度センサ８３０、第４温度センサ８４０、第１圧力センサ９１０、第２圧力センサ９２０、減圧装置６００、バイパスラインＢＬ、及びバイパスバルブ５９０を備える。
【００７５】
熱交換器１００は、貯蔵タンクＴから排出される蒸発ガスを冷媒として使用して、圧縮機２００で圧縮された蒸発ガスを熱交換により冷却する。貯蔵タンクＴから排出された後に熱交換器１００の冷媒として使用された蒸発ガスは、圧縮機２００に送られて、圧縮機２００で圧縮された蒸発ガスは、貯蔵タンクＴから排出される蒸発ガスを冷媒として使用して熱交換器１００で冷却される。
【００７６】
貯蔵タンクＴから排出された蒸発ガスは、第１供給ラインＬ１を介して熱交換器１００に送られて冷媒として使用されて、熱交換器１００の冷媒として使用された蒸発ガスは、第２供給ラインＬ２を介して圧縮機２００に送られる。圧縮機２００で圧縮された蒸発ガスの一部または全部は、第３供給ラインＬ３を介して熱交換器１００に送られて冷却される。熱交換器１００で冷却された流体は、第４供給ラインＬ４を介して減圧装置６００に送られる。
【００７７】
第１バルブ５１０は、第１供給ラインＬ１上に設置されて、流体の流量及び開閉を調節し、第２バルブ５２０は、第２供給ラインＬ２上に設置されて、流体の流量及び開閉を調節する。
【００７８】
第１温度センサ８１０は、第１供給ラインＬ１上の熱交換器１００の上流に設置されて、貯蔵タンクＴから排出されて熱交換器１００に供給される蒸発ガスの温度を測定する。熱交換器１００に供給される直前の蒸発ガスの温度を測定することができるように、第１温度センサ８１０を熱交換器１００の直ぐ上流に設置することが好ましい。
【００７９】
本発明において、上流は前の部分を意味し、下流は後の部分を意味する。
【００８０】
第２温度センサ８２０は、第２供給ラインＬ２上の熱交換器１００の下流に設置され、貯蔵タンクＴから排出された後に熱交換器１００の冷媒として使用された蒸発ガスの温度を測定する。熱交換器１００の冷媒として使用された直後の蒸発ガスの温度を測定することができるように、第２温度センサ８２０を熱交換器１００の直ぐ下流に設置することが好ましい。
【００８１】
圧縮機２００は、貯蔵タンクＴから排出された後に熱交換器１００の冷媒として使用された蒸発ガスを圧縮する。圧縮機２００で圧縮された蒸発ガスは、高圧エンジンの燃料として供給されて、高圧エンジンの燃料として供給された後に余った余剰蒸発ガスは、熱交換器１００に送られて再液化過程を経る。
【００８２】
圧縮機２００で圧縮された蒸発ガスを、高圧エンジンに送る燃料供給ラインＳＬ上には、流体の流量及び開閉を調節する第６バルブ５６０が設置される。
【００８３】
第６バルブ５６０は、高圧エンジンのガスモード運転を中断する場合に、高圧エンジンに送られる蒸発ガスの供給を完全に遮断する安全装置の役割を担う。ガスモードは、天然ガスを燃料として使用してエンジンを運転するモードを意味し、燃料として使用する蒸発ガスが不足する場合には、エンジンを燃料油モードに転換して、燃料油をエンジンの燃料として使用する。
【００８４】
また、圧縮機２００で圧縮された蒸発ガスのうち、高圧エンジンの燃料として供給された後に余った余剰蒸発ガスを熱交換器１００に送るライン上には、流体の流量及び開閉を調節する第７バルブ５７０が設置される。
【００８５】
圧縮機２００で圧縮された蒸発ガスを高圧エンジンに送る場合、圧縮機２００は蒸発ガスを高圧エンジンの要求圧力まで圧縮する。高圧エンジンは、高圧蒸発ガスを燃料として使用するＭＥ−ＧＩエンジンである。
【００８６】
ＭＥ−ＧＩエンジンは、約１５０〜４００ｂａｒ、好ましくは約１５０〜３５０ｂａｒ、より好ましくは約３００ｂａｒの圧力の天然ガスを燃料として使用する。本発明の圧縮機２００は、圧縮された蒸発ガスをＭＥ−ＧＩエンジンに供給するために、約１５０〜３５０ｂａｒの圧力で蒸発ガスを圧縮する。
【００８７】
本発明では、主エンジンとしてＭＥ−ＧＩエンジンの代わりに、約６〜２０ｂａｒの圧力の蒸発ガスを燃料として使用するＸ−ＤＦエンジンやＤＦエンジンの選択が可能である。この場合、主エンジンに供給するために圧縮された蒸発ガスは低圧であるため、主エンジンに供給するためには、圧縮された蒸発ガスをさらに圧縮して再液化させても良い。再液化するために、さらに圧縮された蒸発ガスの圧力は、約８０〜２５０ｂａｒである。
【００８８】
図１１及び図１２は、部分再液化システム（Partial Re-liquefaction System，ＰＲＳ）において、蒸発ガスの圧力による再液化量を示すグラフである。再液化対象蒸発ガスは、冷却されて再液化された蒸発ガスを意味し、冷媒として使用される蒸発ガスと区別するために命名する。
【００８９】
図１１及び図１２を参照して、蒸発ガスの圧力が１５０〜１７０ｂａｒ付近である場合に再液化量が最大値を示し、１５０〜３００ｂａｒの間は液化量が殆ど変化しないことが分かる。よって、約１５０〜３５０ｂａｒ（主に３００ｂａｒ）の圧力の蒸発ガスを、燃料として使用するＭＥ−ＧＩエンジンが高圧エンジンである場合には、高圧エンジンに燃料を供給すると同時に高い再液化量を維持するように、再液化システムを容易に制御することができるという長所がある。
【００９０】
圧縮機２００は、複数のシリンダー２１０，２２０，２３０，２４０，２５０と、複数のシリンダー２１０，２２０，２３０，２４０，２５０の下流に夫々設置される複数の冷却器２１１，２２１，２３１，２４１，２５１とを備える。複数の冷却器２１１，２２１，２３１，２４１，２５１は、複数のシリンダー２１０，２２０，２３０，２４０，２５０によって圧縮されて、圧力と共に温度が上昇した蒸発ガスを冷却する。
【００９１】
圧縮機２００が複数のシリンダー２１０，２２０，２３０，２４０，２５０を備える場合、圧縮機２００に供給される蒸発ガスは、複数のシリンダー２１０，２２０，２３０，２４０，２５０によって多段階で圧縮される。各シリンダー２１０，２２０，２３０，２４０，２５０は、圧縮機２００の各圧縮段階を意味する。
【００９２】
また、圧縮機２００は、第１シリンダー２１０及び第１冷却器２１１を通過した蒸発ガスの一部または全部を、第１シリンダー２１０の上流に送る第１再循環ラインＲｃ１と、第２シリンダー２２０及び第２冷却器２２１を通過した蒸発ガスの一部または全部を、第２シリンダー２２０の上流に送る第２再循環ラインＲｃ２と、第３シリンダー２３０及び第３冷却器２３１を通過した蒸発ガスの一部または全部を、第３シリンダー２３０の上流に送る第３再循環ラインＲｃ３と、第４シリンダー２４０、第４冷却器２４１、第５シリンダー２５０及び第５冷却器２５１を通過した蒸発ガスの一部または全部を、第４シリンダー２４０の上流に送る第４循環ラインＲｃ４とを備える。
【００９３】
また、第１再循環ラインＲｃ１上には、流体の流量及び開閉を調節する第１再循環バルブ５４１が設置され、第２再循環ラインＲｃ２上には、流体の流量及び開閉を調節する第２再循環バルブ５４２が設置され、第３再循環ラインＲｃ３上には、流体の流量及び開閉を調節する第３再循環バルブ５４３が設置され、第４循環ラインＲｃ４上には、流体の流量及び開閉を調節する第４再循環バルブ５４４が設置される。
【００９４】
再循環ラインＲｃ１，Ｒｃ２，Ｒｃ３，Ｒｃ４は、貯蔵タンクＴ内の圧力が低いため、圧縮機２００が要求する吸入圧力の条件を満たさない場合に、蒸発ガスの一部または全部を再循環させて圧縮機２００を保護する。再循環ラインＲｃ１，Ｒｃ２，Ｒｃ３，Ｒｃ４を使用しない場合には、再循環バルブ５４１，５４２，５４３，５４４を閉めて、圧縮機２００が要求する吸入圧力条件を満たさないために再循環ラインＲｃ１，Ｒｃ２，Ｒｃ３，Ｒｃ４を使用する必要が生じた場合に、再循環バルブ５４１，５４２，５４３，５４４を開ける。
【００９５】
図２には、蒸発ガスが圧縮機２００に備えられる複数のシリンダー２１０，２２０，２３０，２４０，２５０をすべて通過した蒸発ガスを、熱交換器１００に送る場合を示したが、複数のシリンダー２１０，２２０，２３０，２４０，２５０の一部を通過した蒸発ガスを圧縮機２００の中間から分岐させて、熱交換器１００に送ることもできる。
【００９６】
また、複数のシリンダー２１０，２２０，２３０，２４０，２５０の一部を通過した蒸発ガスを圧縮機２００の中間から分岐させて、低圧エンジンに送って燃料として使用することができ、余剰蒸発ガスをガス燃焼装置（ＧＣＵ；Gas Combustion Unit）に送って、燃焼させることもできる。
【００９７】
低圧エンジンは、約６〜１０ｂａｒの圧力の蒸発ガスを燃料として使用するＤＦエンジン（例えば、ＤＦＤＥ）である。
【００９８】
圧縮機２００が備える複数のシリンダー２１０，２２０，２３０，２４０，２５０は、一部は無給油潤滑（oil-free lubricated）方式で作動し、その他は給油潤滑（oil lubricated）方式で作動する。特に、圧縮機２００で圧縮された蒸発ガスを高圧エンジンの燃料として使用する場合、また、再液化効率を高めるために蒸発ガスを８０ｂａｒ以上、好ましくは１００ｂａｒ以上の圧力まで圧縮する場合には、圧縮機２００は蒸発ガスを高圧で圧縮するために給油潤滑方式のシリンダーを備える。
【００９９】
現存する技術では、１００ｂａｒ以上の圧力まで蒸発ガスを圧縮するためには、往復動タイプの圧縮機２００に、例えば、ピストンシール部位の潤滑や冷却のために、潤滑油を供給する必要がある。
【０１００】
給油潤滑方式のシリンダーには、潤滑油が供給されるが、現在の技術水準では、給油潤滑方式のシリンダーを通過した蒸発ガスには、潤滑油が少なくとも混在する。本発明の発明者らは、蒸発ガスが圧縮されて蒸発ガスに混在した潤滑油は、熱交換器１００で蒸発ガスより先に凝縮または凝固することで、熱交換器１００の流路を塞ぐことを発見した。
【０１０１】
本実施形態の蒸発ガスの再液化システムは、圧縮機２００と熱交換器１００との間に設置されて、蒸発ガスに混合したオイルを分離するオイル分離器３００と第１オイルフィルタ４１０とをさらに備える。
【０１０２】
オイル分離器３００は主に液体状態の潤滑油を分離し、第１オイルフィルタ４１０は気体（Vapor）状態または霧（Mist、液滴）状態の潤滑油を分離する。オイル分離器３００は、第１オイルフィルタ４１０に比べて大きい粒子の潤滑油を分離できるため、オイル分離器３００を第１オイルフィルタ４１０の上流に設置して、圧縮機２００で圧縮された蒸発ガスを、オイル分離器３００、第１オイルフィルタ４１０の順で通過させた後で熱交換器１００に送ることが好ましい。
【０１０３】
図２では、オイル分離器３００及び第１オイルフィルタ４１０の両方を備えるものを示したが、本実施形態の蒸発ガスの再液化システムは、オイル分離器３００及び第１オイルフィルタ４１０のうち、１つだけを備えてもよい。ただし、オイル分離器３００及び第１オイルフィルタ４１０の両方を使用することが好ましい。
【０１０４】
また、図２では、第１オイルフィルタ４１０を圧縮機２００の下流の第２供給ラインＬ２上に設置したが、第１オイルフィルタ４１０を熱交換器１００の上流の第３供給ラインＬ３上に設置してもよく、複数を並列に設置してもよい。
【０１０５】
本実施形態の蒸発ガスの再液化システムが、オイル分離器３００及び第１オイルフィルタ４１０のいずれか１つ以上を備え、本実施形態の圧縮機２００が無給油潤滑方式のシリンダーと給油潤滑方式のシリンダーとを備える場合、給油潤滑方式のシリンダーを通過した蒸発ガスをオイル分離器３００及び／または第１オイルフィルタ４１０に送るように構成し、無給油潤滑方式のシリンダーのみを通過した蒸発ガスをオイル分離器３００またはオイルフィルタ４１０を通過させずに、熱交換器１００に直接送るように構成してもよい。
【０１０６】
例えば、本実施形態の圧縮機２００は、５つのシリンダー２１０，２２０，２３０，２４０，２５０を備え、上流の３つのシリンダー２１０，２２０，２３０は無給油潤滑方式であり、下流の２つのシリンダー２４０，２５０は給油潤滑方式である。３段以下で蒸発ガスを分岐させる場合には、蒸発ガスをオイル分離器３００または第１オイルフィルタ４１０を通過させずに、熱交換器１００に直接送り、４段以上で蒸発ガスを分岐させる場合には、蒸発ガスをオイル分離器３００及び／または第１オイルフィルタ４１０を通過させた後で第１熱交換器１００に送るように構成してもよい。
【０１０７】
第１オイルフィルタ４１０は、コアレッサー方式（Coalescer Type）のオイルフィルタである。
【０１０８】
圧縮機２００と高圧エンジンとの間の燃料供給ラインＳＬ上には、逆流防止バルブ５５０が設置される。逆流防止バルブ５５０は、高圧エンジンが停止した場合に蒸発ガスが逆流して圧縮機を損傷することを防止する役割を担う。
【０１０９】
本実施形態の蒸発ガスの再液化システムが、オイル分離器３００及び／または第１オイルフィルタ４１０を備える場合、逆流した蒸発ガスがオイル分離器３００及び／または第１オイルフィルタ４１０に流れ込まないように、逆流防止バルブ５５０をオイル分離器３００及び／または第１オイルフィルタ４１０の下流に設置することが好ましい。
【０１１０】
また、膨張バルブ６００が急に閉まった場合に、蒸発ガスが逆流して圧縮機２００を損傷する虞があるため、逆流防止バルブ５５０を、第３供給ラインＬ３が燃料供給ラインＳＬから分岐する分岐点の上流に設置することが好ましい。
【０１１１】
第３温度センサ８３０は、第３供給ラインＬ３上の熱交換器１００の上流に設置されて、圧縮機２００で圧縮された後に熱交換器１００に送られる蒸発ガスの温度を測定する。熱交換器１００に供給される直前の蒸発ガスの温度を測定することができるように、第３温度センサ８３０を熱交換器１００の直ぐ上流に設置することが好ましい。
【０１１２】
第４温度センサ８４０は、第４供給ラインＬ４上の熱交換器１００の下流に設置されて、圧縮機２００で圧縮された後に熱交換器１００で冷却された蒸発ガスの温度を測定する。熱交換器１００で冷却された直後の蒸発ガスの温度を測定することができるように、第４温度センサ８４０を熱交換器１００の直ぐ下流に設置することが好ましい。
【０１１３】
第１圧力センサ９１０は、第３供給ラインＬ３上の熱交換器１００の上流に設置されて、圧縮機２００で圧縮された後に熱交換器１００に送られる蒸発ガスの圧力を測定する。熱交換器１００に供給される直前の蒸発ガスの圧力を測定することができるように、第１圧力センサ９１０を熱交換器１００の直ぐ上流に設置することが好ましい。
【０１１４】
第２圧力センサ９２０は、第４供給ラインＬ４上の熱交換器１００の下流に設置されて、圧縮機２００で圧縮された後に熱交換器１００で冷却された蒸発ガスの圧力を測定する。熱交換器１００で冷却された直後の蒸発ガスの圧力を測定することができるように、第２圧力センサ９２０を熱交換器１００の直ぐ下流に設置することが好ましい。
【０１１５】
図２に示すように、第１〜４温度センサ８１０〜８４０、第１圧力センサ９１０、及び第２圧力センサ９２０のすべてを設置することが好ましいが、本実施形態ではこれに限定されず、第１温度センサ８１０及び第４温度センサ８４０（以下、「第１組（pair）」という。）のみを設置すること、第２温度センサ８２０及び第３温度センサ８３０（以下、「第２組」という。）のみを設置すること、第１圧力センサ９１０及び第２圧力センサ９２０（以下、「第３組」という。）のみを設置すること、第１〜第３組のうち２つだけ設置することもできる。
【０１１６】
減圧装置６００は、熱交換器１００の下流に設置され、圧縮機２００で圧縮された後に熱交換器１００で冷却された蒸発ガスを減圧する。圧縮機２００による圧縮過程、熱交換器１００による冷却過程、及び減圧装置６００による減圧過程を経た蒸発ガスは、一部または全部が再液化される。減圧装置６００は、システムの構成に応じてジュール−トムソン（Joule-Thomson）バルブなどの膨張バルブ、または膨張機である。
【０１１７】
本実施形態の蒸発ガスの再液化システムは、減圧装置６００の下流に設置されて、圧縮機２００、熱交換器１００、及び減圧装置６００を通過して再液化されたＬＮＧと、気体状態で残っている蒸発ガスとを分離する気液分離器７００をさらに備える。
【０１１８】
気液分離器７００で分離された液化ガスは、第５供給ラインＬ５を介して貯蔵タンクＴに送られ、気液分離器７００で分離された蒸発ガスは、第６供給ラインＬ６を介して貯蔵タンクＴから排出された蒸発ガスと合流した後に熱交換器１００に送られる。
【０１１９】
図２では、気液分離器７００で分離された蒸発ガスを、貯蔵タンクＴから排出される蒸発ガスと合流させた後で熱交換器１００に送るものを示したが、これに限定されず、例えば、熱交換器１００を３つの流路で構成して、気液分離器７００から分離された蒸発ガスを別の流路を介して熱交換器１００の冷媒として使用してもよい。
【０１２０】
また、気液分離器７００を介さず、減圧装置６００で減圧されて一部または全部が再液化した流体を貯蔵タンクＴに直接送ってもよい。
【０１２１】
第５供給ラインＬ５上には、流体の流量及び開閉を調節する第８バルブ５８１が設置される。第８バルブ５８１は、気液分離器７００の内部の液化ガスの水位を調節する。
【０１２２】
第６供給ラインＬ６上には、流体の流量及び開閉を調節する第９バルブ５８２が設置される。第９バルブ５８２は、気液分離器７００の内部の圧力を調節する。
【０１２３】
図４は、本発明の一実施形態に係る気液分離器の拡大図である。図４に示すように、気液分離器７００には、内部の液化ガスの水位を測定する水位センサ９４０が１つ以上設置される。
【０１２４】
本実施形態の蒸発ガスの再液化システムは、減圧装置６００と気液分離器７００との間に設置されて、減圧装置６００で減圧された流体に混合したオイルをフィルタリングする第２オイルフィルタ４２０を備える。
【０１２５】
図２及び図４を参照して、第２オイルフィルタ４２０を、減圧装置６００と気液分離器７００との間の第４供給ラインＬ４上に設置すること（図４のＡ位置）、気液分離器７００から再液化された液化ガスが排出される第５供給ラインＬ５上に設置すること（図４のＢ位置）、気液分離器７００から気体状態の蒸発ガスが排出される第６供給ラインＬ６に設置することができる（図４のＣ位置）。図２では、図４のＡ位置に第２オイルフィルタ４２０を設置したことを示した。
【０１２６】
気液分離器７００で分離された気体状態の蒸発ガスは、貯蔵タンクＴから排出された蒸発ガスと合流して、熱交換器１００の低温流路に供給されるが、気液分離器７００内に潤滑油が溜まるため、気液分離器７００で分離された気体状態の蒸発ガスに潤滑油が少量でも混入する可能性がある。
【０１２７】
本発明の発明者らは、気液分離器７００で分離された気体状態の蒸発ガスを、潤滑油が混入したまま熱交換器１００の低温流路に送ると、圧縮機２００で圧縮されて蒸発ガスに混入した潤滑油を熱交換器１００の高温流路に供給する場合よりも、困難な状況が発生する可能性があることを発見した。
【０１２８】
熱交換器１００の低温流路には、熱交換器１００の冷媒として使用される流体が供給されるため、システムが運用されている間は、極低温の蒸発ガスが間断なく供給され、凝縮または凝固したオイルを融解できる程度の高温流体が供給されない。したがって、熱交換器１００の低温流路に溜まった凝縮または凝固したオイルを除去することは非常に困難である。
【０１２９】
気液分離器７００で分離された気体状態の蒸発ガスに潤滑油が混入したまま熱交換器１００の低温流路に送られる可能性を最小限に抑えるため、第２オイルフィルタ４２０を図４のＡ位置やＣ位置に設置する。
【０１３０】
第２オイルフィルタ４２０が図４のＣ位置に設置される場合、融解または粘度が低下した潤滑油の殆どは気液分離器７００内に液体状態で溜まり、第６供給ラインＬ６を介して排出される気体状態の潤滑油は少量であるため、フィルタリング効率を向上できること及び第２オイルフィルタ４２０の交換頻度を減少させることができるという利点がある。
【０１３１】
第２オイルフィルタ４２０が図４のＢ位置に設置される場合、貯蔵タンクＴに流入する潤滑油を遮断することができ、貯蔵タンクＴに貯蔵した液化ガスの汚染を防止することができるという利点がある。
【０１３２】
第１オイルフィルタ４１０は圧縮機２００の下流に設置されて、圧縮機２００で圧縮された蒸発ガスは約４０〜４５℃であるため、極低温用のオイルフィルタを使用する必要がない。しかし、減圧装置６００で減圧された流体の温度は、蒸発ガスの少なくとも一部が再液化されるように−１６０〜−１５０℃程度となり、気液分離器７００で分離された液化ガス及び蒸発ガスの温度も約−１６０〜−１５０℃程度であるため、第２オイルフィルタ４２０を図４のＡ，Ｂ，Ｃのいずれかの位置に設置するか、または極低温用に設計する必要がある。
【０１３３】
また、圧縮機２００で圧縮された約４０〜４５℃の蒸発ガスに混入している潤滑油の殆どは、液体状態または霧（Mist）状態であるため、オイル分離器３００を液体状態の潤滑油の分離に適合するように設計し、第１オイルフィルタ４１０を霧（Mist）状態の潤滑油（気体（Vapor）状態の潤滑油も一部含まれる。）の分離に適合するように設計する。
【０１３４】
一方、極低温流体である、減圧装置６００によって減圧された流体と、気液分離器７００で分離された蒸発ガスと、気液分離器７００で分離された液化ガスに混入している潤滑油とは、流動点以下の固体（または凝固した）状態であるため、第２オイルフィルタ４２０を固体（または凝固した）状態の潤滑油の分離に適合するように設計する。
【０１３５】
図５は、本発明の一実施形態に係る第２オイルフィルタの拡大図である。図６は、本発明の他の実施形態に係る第２オイルフィルタの拡大図である。
【０１３６】
図５及び図６を参照して、第２オイルフィルタ４２０は、図５に示した構造（以下、「下部排出型」という。）、または図６に示した構造（以下、「上部排出型」という。）である。図５及び図６の点線は、流体の流れの方向を示す。
【０１３７】
図５及び図６を参照して、第２オイルフィルタ４２０は、固定板４２５とフィルタエレメント４２１とを備え、第２オイルフィルタ４２０には流入配管４２２、排気配管４２３及びオイル排出配管４２４が連結される。
【０１３８】
フィルタエレメント４２１は固定板４２５に設置されて、流入配管４２２を介して流入する流体に混入した潤滑油を分離する。
【０１３９】
図１３は、図５及び図６に図示したフィルタエレメント４２１の平面図である。図１３を参照して、フィルタエレメント４２１は、中空（図１３のＺ空間）の円柱状であり、メッシュ（Mesh）サイズが異なる多段のレイヤー（Layer）が積み重なった形態である。流入配管４２２を介して流入する流体が、フィルタエレメント４２１に設けられた多段のレイヤーを通過することで、潤滑油がフィルタリングされる。フィルタエレメント４２１は、物理的吸着方法で潤滑油を分離することができる。
【０１４０】
フィルタエレメント４２１でフィルタリングされた流体（蒸発ガス、液化ガス、または気液混合状態の流体）は、排出配管４２３を介して排出され、フィルタエレメント４２１でフィルタリングされた潤滑油は、オイル排出配管４２４を介して排出される。
【０１４１】
第２オイルフィルタ４２０に用いられる部品の材質は、極低温の流体に混入した潤滑油を分離することができるように、極低温に耐える材質で構成される。フィルタエレメント４２１は、極低温に耐えられる金属（Metal）材質で構成することができ、具体的にはフィルタエレメント４２１はＳＵＳ材質が用いられる。
【０１４２】
図５を参照して、「下部排出型」のオイルフィルタは、オイルフィルタ上部に連結する流入配管４２２を介して供給される流体が、フィルタエレメント４２１を通過した後、固定板４２５の下部に形成された空間（図５のＸ）を通過し、オイルフィルタ下部に連結した排出配管４２３を介して排出される。
【０１４３】
「下部排出型」のオイルフィルタは、固定板４２５がオイルフィルタ下部に設置されて、固定板４２５の上面にフィルタエレメント４２１が設置されて、固定板４２５を基準に、フィルタエレメント４２１の反対側に排出配管４２３が連結される。
【０１４４】
また、「下部排出型」のオイルフィルタは、供給配管４２２を介して流入した流体がフィルタエレメント４２１の上部によってもフィルタリングされるように（つまり、フィルタエレメント全体を最大限に利用できるように）、供給配管４２２をフィルタエレメント４２１の上端部よりも上方で連結することが好ましい。
【０１４５】
流体の流れを考慮すれば、供給配管４２２と排出配管４２３とを、互いに反対側（図５のフィルタエレメント４２１を基準に左側と右側）に設置することが好ましく、フィルタエレメント４２１でフィルタリングされた潤滑油は、フィルタエレメント４２１の下部に溜まるため、オイル排出配管４２４をフィルタエレメント４２１の下部側に連結することが好ましい。
【０１４６】
「下部排出型」のオイルフィルタの場合、オイル排出配管４２４を固定板４２５の直ぐ上方に連結する。
【０１４７】
図５（ａ）に示すように、「下部排出型」のオイルフィルタに液体成分が多い流体（例えば、液体９０％、気体１０％の体積比）を供給すると、液体成分は密度が大きいため、上から下まで適切な流れが発生して、フィルタリング効果が優れている。
【０１４８】
しかし、図５（ｂ）に示すように、「下部排出型」のオイルフィルタに気体成分が多い流体（例えば、液体１０％、気体９０％の体積比）を供給すると、密度が小さな気体成分がオイルフィルタの上部に溜まるため、流体の流れが悪くなり、フィルタリング効果も悪化する。
【０１４９】
図６を参照して、「上部排出型」のオイルフィルタは、オイルフィルタの下部に連結する流入配管４２２を介して供給される流体が、フィルタエレメント４２１を通過した後、固定板４２５の上部に形成された空間（図６のＹ）を通過して、オイルフィルタの上部に連結した排出配管４２３を介して排出される。
【０１５０】
「上部排出型」のオイルフィルタは、固定板４２５がオイルフィルタ上部に設置されて、固定板４２５の下面にフィルタエレメント４２１が設置されて、固定板４２５を基準にフィルタエレメント４２１の反対側に排出配管４２３が連結される。
【０１５１】
また、「上部排出型」のオイルフィルタは、供給配管４２２を介して流入した流体がフィルタエレメント４２１の下部でもフィルタリングされるように（つまり、フィルタエレメント全体を最大限に利用できるように）、供給配管４２２をフィルタエレメント４２１の下端部よりも下方に連結することが好ましい。
【０１５２】
流体の流れを考慮すれば、供給配管４２２と排出配管４２３とを互いに反対側（図６のフィルタエレメント４２１を基準に左側と右側）に設置することが好ましく、フィルタエレメント４２１でフィルタリングされた潤滑油は、フィルタエレメント４２１の下部に溜まるため、オイル排出配管４２４はフィルタエレメント４２１の下部側に連結することが好ましい。
【０１５３】
図６を参照して、「上部排出型」のオイルフィルタは、オイルフィルタ下部に連結する供給配管４２２を介して供給される流体が、フィルタエレメント４２１を通過した後、オイルフィルタの上部に連結した排出配管４２３を介して排出される。フィルタエレメント４２１でフィルタリングされた潤滑油は、別の配管４２４を介して外部に排出される。
【０１５４】
図６（ａ）に示すように、「上部排出型」のオイルフィルタに気体成分が多い流体（例えば、液体１０％、気体９０％の体積比）を供給すると、気体成分は密度が小さいため、下から上まで適切な流れが発生して、フィルタリング効果が優れている。
【０１５５】
しかし、図６（ｂ）に示すように、「上部排出型」のオイルフィルタに液体成分が多い流体（例えば、液体９０％、気体１０％の体積比）を供給すると、密度の大きい液体成分がオイルフィルタの下部に溜まるため、流体の流れが悪くなり、フィルタリング効果も悪化する。
【０１５６】
したがって、図４のＢ位置に第２オイルフィルタ４２０を設置する場合には、図５に示した「下部排出型」である第２オイルフィルタ４２０を適用するのが好ましく、図４のＣ位置に第２オイルフィルタ４２０を設置する場合には、図６に示した「上部排出型」である第２オイルフィルタ４２０を適用するのが好ましい。
【０１５７】
図４のＡ位置に第２オイルフィルタ４２０を設置する場合には、減圧装置６００で減圧した流体は気液混合状態であるが（理論上は１００％再液化も可能である）、体積比では気体成分の割合が高いため、図６に示した「上部排出型」である第２オイルフィルタ４２０を適用するのが好ましい。
【０１５８】
本発明のバイパスラインＢＬは、熱交換器１００の上流の第１供給ラインＬ１から分岐して、熱交換器１００を迂回（Bypass）した後、熱交換器１００の下流の第２供給ラインＬ２に合流する。
【０１５９】
通常、熱交換器を迂回するバイパスラインは、熱交換器の内部に設置されて、熱交換器と一体化している。バイパスラインが熱交換器の内部に設置される場合、熱交換器の上流及び／または下流に設置されるバルブを閉めると、熱交換器に流体が供給されないと同時にバイパスラインにも流体が供給されない。
【０１６０】
しかし、本発明はバイパスラインＢＬを熱交換器１００の外部に熱交換器１００とは別に設置して、熱交換器１００の上流に設置される第１バルブ５１０及び／または熱交換器１００の下流に設置される第２バルブ５２０を閉めても、バイパスラインＢＬには蒸発ガスが供給されるように、バイパスラインＢＬを第１バルブ５１０の上流の第１供給ラインＬ１から分岐させて、第２バルブ５２０の下流の第２供給ラインＬ２と合流するように構成した。
【０１６１】
バイパスラインＢＬ上には、バイパスバルブ５９０を設置して、バイパスバルブ５９０は平常時には閉めて、バイパスラインＢＬの使用が必要であれば開ける。
【０１６２】
基本的に熱交換器１００が故障した場合や維持補修が必要となった場合など、熱交換器１００を使用できない場合に、バイパスラインＢＬを利用する。例えば、本実施形態の蒸発ガスの再液化システムが、圧縮機２００で圧縮された蒸発ガスの一部または全部を高圧エンジンに送る場合に、熱交換器１００を使用できなくなると、高圧エンジンで使用できなかった余剰蒸発ガスの再液化を放棄して、貯蔵タンクＴから排出された蒸発ガスをバイパスラインＢＬを介して熱交換器１００を迂回させて、圧縮機２００に直接供給した後、圧縮機２００で圧縮された蒸発ガスを高圧エンジンに供給して、余剰蒸発ガスをＧＣＵに送って燃焼させる。
【０１６３】
熱交換器１００の維持補修のためにバイパスラインＢＬを使用する例として、熱交換器１００の流路が凝縮または凝固した潤滑油によって詰まった場合に、バイパスラインＢＬを使用して凝縮または凝固した潤滑油を除去することが挙げられる。
【０１６４】
また、船舶のバラスト状態など、余剰蒸発ガスが殆ど無く、蒸発ガスを再液化する必要がない場合には、貯蔵タンクＴから排出された蒸発ガスをすべてバイパスラインＢＬに送り、蒸発ガスを熱交換器１００を迂回させて圧縮機２００に直接送る。圧縮機２００で圧縮された蒸発ガスは、高圧エンジンの燃料として使用される。余剰蒸発ガスが殆ど無く、蒸発ガスを再液化する必要がないと判断した場合には、バイパスバルブ５９０を自動的に開放するように制御する。
【０１６５】
本発明の発明者らは、蒸発ガスが本発明に係る流路が狭い熱交換器を通過してエンジンに供給される場合、熱交換器により蒸発ガスの圧力降下が頻繁に発生することを発見した。再液化の必要がない場合には、上述したように、熱交換器を迂回させて蒸発ガスを圧縮することで、エンジンに円滑に燃料を供給することができる。
【０１６６】
また、蒸発ガスを再液化しない間に、蒸発ガスの量が増加して蒸発ガスを再液化する場合にもバイパスラインＢＬを使用することができる。
【０１６７】
蒸発ガスを再液化しない間に、蒸発ガスの量が増加して蒸発ガスを再液化する場合（すなわち、蒸発ガスの再液化を始動または再起動する場合）、貯蔵タンクＴから排出されるすべての蒸発ガスをバイパスラインＢＬに送り、すべての蒸発ガスを熱交換器１００を迂回させて圧縮機２００に直接供給して、圧縮機２００で圧縮された蒸発ガスは熱交換器１００の高温流路に送られる。圧縮機２００で圧縮された蒸発ガスの一部は、高圧エンジンに送られる。
【０１６８】
上述した過程によって、蒸発ガスの再液化を始動または再起動する場合に、熱交換器１００の高温流路の温度を上昇させると、以前の蒸発ガスの再液化過程で熱交換器１００、他の設備、配管などに残っている凝縮または凝固した潤滑油や他の残留物または不純物などを除去した後、蒸発ガスの再液化を開始できるという利点がある。
【０１６９】
残留物には、以前の蒸発ガスの再液化時に圧縮機２００で圧縮された後に熱交換器に送られる蒸発ガスと、圧縮機２００で圧縮された蒸発ガスとに混入していた潤滑油が含まれる。
【０１７０】
もし蒸発ガスの再液化を始動または再起動するときに、バイパスラインＢＬを利用して熱交換器１００の高温流路の温度を上昇させる過程なしで、直ちに貯蔵タンクＴから排出された低温蒸発ガスを熱交換器１００に供給すると、熱交換器１００の高温流路には、まだ高温蒸発ガスが供給されていない状態で、貯蔵タンクＴから排出された低温蒸発ガスが熱交換器１００の低温流路に供給されるため、熱交換器１００に残っていて、まだ凝縮または凝固しなかった潤滑油も熱交換器１００の温度が低下することで凝縮または凝固する。
【０１７１】
バイパスラインＢＬを利用して、熱交換器１００の高温流路の温度を上昇させる過程を継続して、ある程度の時間が経過すれば（凝縮または凝固した潤滑油や他の不純物がほぼ除去されたと判断した場合、当業者が経験によって継続時間を定めることができ、約１分〜３０分、好ましくは約３分〜１０分、より好ましくは約２分〜５分程度である。）、閉まっていた第１バルブ５１０及び第２バルブ５２０を徐々に開けて、バイパスバルブ５９０を徐々に閉めながら蒸発ガスの再液化を開始する。さらに時間が経過すれば、第１バルブ５１０及び第２バルブ５２０を完全に開けて、バイパスバルブ５９０を完全に閉めて、貯蔵タンクＴから排出されるすべての蒸発ガスを熱交換器１００で蒸発ガスを再液化するための冷媒として使用する。
【０１７２】
また、バイパスラインＢＬは、貯蔵タンクＴ内の圧力が低い場合に、圧縮機２００の吸入圧力の条件を満たすために利用することもできる。
【０１７３】
さらに、貯蔵タンクＴの内部の圧力を低い範囲まで制御する必要がある場合は、貯蔵タンクＴの圧力を低下させても、圧縮機２００の吸入圧力の条件を満たすように、バイパスラインＢＬを利用することができる。
【０１７４】
バイパスラインＢＬを利用して、凝縮または凝固した潤滑油を除去する場合と、貯蔵タンクＴ内の圧力が低い場合に圧縮機２００の吸入圧力の条件を満たすためにバイパスラインＢＬを利用する場合とについて、以下に詳細に説明する。
【０１７５】
１．凝縮または凝固した潤滑油を除去するためにバイパスラインＢＬを利用する場合
圧縮機２００の給油潤滑方式のシリンダーを通過した蒸発ガスには、所定の潤滑油が混在し、蒸発ガスに混入した潤滑油は、熱交換器１００で蒸発ガスよりも先に凝縮または凝固して熱交換器１００の流路内に溜まるが、時間の経過に伴って、熱交換器１００の流路に溜まる凝縮または凝固した潤滑油の量が増加するため、所定時間の経過に伴い、熱交換器１００の内部で凝縮または凝固した潤滑油を除去する必要があることを、本発明の発明者らは発見した。
【０１７６】
特に、本実施形態の熱交換器１００は、再液化する蒸発ガスの圧力及び／または流量、再液化効率などを考慮して、ＰＣＨＥ（Printed Circuit Heat Exchanger，ＤＣＨＥともいう。）であることが好ましいが、ＰＣＨＥは流路が狭く（マイクロチャネル型の流路）曲がっていて、凝縮または凝固した潤滑油によって流路が容易に塞がる虞があり、特に流路の曲がった部分に凝縮または凝固した潤滑油が多く溜まる。ＰＣＨＥ（ＤＣＨＥ）は、コベルコ（Kobelko）社、アルファ・ラバル（Alfalaval）社などの企業で生産される。
【０１７７】
凝縮または凝固した潤滑油は、下記のステップを経て除去することができる。
１）凝縮または凝固した潤滑油を除去するか否かを判断するステップ
２）バイパスバルブ５９０を開けて、第１バルブ５１０及び第２バルブ５２０を閉めるステップ
３）貯蔵タンクＴから排出された蒸発ガスを、バイパスラインＢＬを経て圧縮機２００で圧縮するステップ
４）圧縮機２００で圧縮された高温の蒸発ガスの一部または全部を、熱交換器１００に送るステップ
５）熱交換器１００を通過した蒸発ガスを気液分離器７００に送るステップ
６）気液分離器７００に溜まった潤滑油を排出するステップ
７）熱交換器１００が正常化したことを確認するステップ
【０１７８】
１）凝縮または凝固した潤滑油を除去するか否かを判断するステップ
熱交換器１００の流路が凝縮または凝固した潤滑油によって塞がると、熱交換器１００の冷却効率が低下する。よって、熱交換器１００の性能が正常の場合に比べて一定値以下になれば、熱交換器１００の内部に凝縮または凝固した潤滑油がある程度以上溜まったと推定することができる。例えば、熱交換器１００の性能が正常の約５０〜９０％以下、好ましくは約６０〜８０％以下、さらに好ましくは約７０％以下になると、熱交換器１００の内部で凝縮または凝固した潤滑油を除去する必要があると判断することができる。
【０１７９】
正常の「約５０〜９０％以下」は、約５０％以下、約６０％以下、約７０％以下、約８０％以下、及び約９０％以下の全てを含む意味であり、正常の「約６０〜８０％以下」は約６０％以下、約７０％以下、及び約８０％以下の全てを含む意味である。
【０１８０】
熱交換器１００の性能が低下すると、熱交換器１００に供給される低温蒸発ガスＬ１と熱交換器１００から排出される低温蒸発ガスＬ４との温度差が増加し、熱交換器１００から排出される高温蒸発ガスＬ２と熱交換器１００に供給される高温蒸発ガスＬ３との温度差も増加する。また、熱交換器１００の流路が凝縮または凝固した潤滑油によって塞がると、熱交換器１００の流路が狭くなるため、熱交換器１００の上流Ｌ３と下流Ｌ４との圧力差が増加する。
【０１８１】
したがって、熱交換器１００に供給されるまたは熱交換器１００から排出される低温流体の温度差８１０，８４０、熱交換器１００に供給されるまたは熱交換器１００から排出される高温流体の温度差８２０，８３０、熱交換器１００の高温流路にかかる圧力差９１０，９２０などによって、凝縮または凝固した潤滑油を除去する必要があるか否かを判断することができる。
【０１８２】
具体的には、第１温度センサ８１０が測定した貯蔵タンクＴから排出されて熱交換器１００に送られる蒸発ガスの温度と、第４温度センサ８４０が測定した圧縮機２００で圧縮された後に熱交換器１００で冷却された蒸発ガスの温度との差（絶対値を意味する。以下、「低温流れの温度差」という。）が、正常よりも高い数値を示して、その状態を所定時間以上継続すると、熱交換器１００の熱交換が正常ではないと判断することができる。
【０１８３】
例えば、「低温流れの温度差」が、２０〜５０℃以上、好ましくは３０〜４０℃以上、より好ましくは約３５℃以上の状態を、１時間以上継続すると、凝縮または凝固した潤滑油の排出時点であると判断することができる。
【０１８４】
熱交換器１００の作動が正常である場合、圧縮機２００によって約３００ｂａｒの圧力に圧縮された蒸発ガスの温度は約４０〜４５℃になり、貯蔵タンクＴから排出された約−１６０〜−１４０℃の蒸発ガスは、熱交換器１００に移送される間に、温度が多少上昇して−１５０〜−１１０℃程度、好ましくは約−１２０℃になる。
【０１８５】
本実施形態の蒸発ガスの再液化システムが気液分離器７００を備え、気液分離器７００で分離した気体状態の蒸発ガスを貯蔵タンクＴから排出された蒸発ガスと合流させて、熱交換器１００に送る場合には、貯蔵タンクＴから排出される蒸発ガスのみを熱交換器１００に送る場合よりも、熱交換器１００に供給される蒸発ガスの温度が低下し、気液分離器７００で分離した気体状態の蒸発ガスの量が多ければ多いほど、熱交換器１００に供給される蒸発ガスの温度はさらに低下する。
【０１８６】
第３供給ラインＬ３を介して熱交換器１００に供給される約４０〜４５℃の蒸発ガスは、熱交換器１００で冷却されて約−１３０〜−１１０℃になり、正常の場合には、低温流れの温度差」が、好ましくは約２〜３℃になる。
【０１８７】
また、第２温度センサ８２０が測定した貯蔵タンクＴから排出された後に熱交換器１００の冷媒として使用された蒸発ガスの温度と、第３温度センサ８３０が測定した圧縮機２００で圧縮された後に熱交換器１００に送られる蒸発ガスの温度との差（絶対値を意味する。以下、「高温流れの温度差」という。）が正常の場合よりも高い数値を示して、その状態を所定時間以上継続すると、熱交換器１００の熱交換が正常ではないと判断することができる。
【０１８８】
「高温流れの温度差」が、２０〜５０℃以上、好ましくは３０〜４０℃以上、より好ましくは約３５℃以上の状態を、１時間以上継続すると、凝縮または凝固した潤滑油の排出時点であると判断することができる。
【０１８９】
熱交換器１００の作動が正常である場合、貯蔵タンクＴから排出された後で熱交換器１００に移送される間に、温度が多少上昇した約−１５０〜−１１０℃（好ましくは約−１２０℃）の蒸発ガスは、熱交換器１００の冷媒として使用された後、船舶の速度に応じて約−８０〜４０℃になり、熱交換器１００の冷媒として使用された約−８０〜４０℃の蒸発ガスは、圧縮機２００で圧縮されて約４０〜４５℃になる。
【０１９０】
また、第１圧力センサ９１０が測定した圧縮機２００で圧縮された後で熱交換器１００に送られる蒸発ガスの圧力と、第２圧力センサ９２０が測定した熱交換器１００で冷却された蒸発ガスの圧力との差（以下、「高温流路の圧力差」という。）が正常よりも高い数値を示して、その状態を所定時間以上継続すると、熱交換器１００の作動状態が正常ではない判断することができる。
【０１９１】
貯蔵タンクＴから排出された蒸発ガスは、オイル成分が混在しないか非常に微量の水準で存在し、蒸発ガスに潤滑油が混入する時点は、蒸発ガスが圧縮機２００で圧縮される時であるため、貯蔵タンクＴから排出された蒸発ガスを冷媒として使用した後で圧縮機２００に送る熱交換器１００の低温流路には、凝縮または凝固した潤滑油が殆ど溜まらず、圧縮機２００で圧縮された蒸発ガスを冷却した後で減圧装置６００に送る熱交換器１００の高温流路に、凝縮または凝固した潤滑油が溜まることになる。
【０１９２】
したがって、凝縮または凝固した潤滑油により流路が塞がって、熱交換器１００の上流及び下流の圧力差が大きくなる現象が高温流路で急速に進むため、熱交換器１００の高温流路にかかる圧力を測定して凝縮または凝固した潤滑油を除去する必要があるか否かを判断する。
【０１９３】
凝縮または凝固した潤滑油を除去する必要があるか否かを、熱交換器１００の上流及び下流の圧力差によって判断することは、特に本実施形態の熱交換器１００を流路が狭く曲がった形状のＰＣＨＥに適用できるという点を考慮すると、有用利用が可能である。
【０１９４】
例えば、「高温流路の圧力差」が、正常よりも２倍以上になって、その状態を１時間以上継続すると、凝縮または凝固した潤滑油の排出時点であると判断することができる。
【０１９５】
熱交換器１００の作動が正常である場合は、圧縮機２００で圧縮された蒸発ガスは、熱交換器１００を通過して冷却されても圧力が大きく低下せず、約０．５〜２．５ｂａｒ、好ましくは約０．７〜１．５ｂａｒ、より好ましくは約１ｂａｒ程度の圧力降下が発生する。「高温流路の圧力差」が、一定の圧力以上、例えば、１〜５ｂａｒ以上、好ましくは１．５〜３ｂａｒ以上、さらに好ましくは約２ｂａｒ（２００ｋＰａ）以上の状態を１時間以上継続すると、凝縮または凝固した潤滑油の排出時点であると判断することができる。
【０１９６】
上述したように、「低温流れの温度差」、「高温流れの温度差」及び「高温流路の圧力差」のうちいずれか１つを指標にして、凝縮または凝固した潤滑油を除去する必要があるか否かを判断することも可能であるが、信頼性を高めるために「低温流れの温度差」、「高温流れの温度差」及び「高温流路の圧力差」のうち２つ以上を指標にして、凝縮または凝固した潤滑油を除去する必要があるか否かを判断することが好ましい。
【０１９７】
例えば、「低温流れの温度差」及び「高温流れの温度差」のうち、より小さい値が３５℃以上の状態を１時間以上継続するか、「高温流路の圧力差」が正常の２倍以上、または２００ｋＰａ以上の状態を１時間以上継続すると、凝縮または凝固した潤滑油の排出時点であると判断することができる。
【０１９８】
第１温度センサ８１０、第２温度センサ８２０、第３温度センサ８３０、第４温度センサ８４０、第１圧力センサ９１０及び第２圧力センサ９２０は、熱交換器１００が潤滑油によって塞がっているか否かを検知する検知手段の１つである。
【０１９９】
また、本発明の蒸発ガスの再液化システムは、第１温度センサ８１０、第２温度センサ８２０、第３温度センサ８３０、第４温度センサ８４０、第１圧力センサ９１０及び第２圧力センサ９２０のいずれか１つ以上によって検知した値に基づいて、熱交換器１００が潤滑油で塞がっているか否かを判断する制御装置（図示せず）をさらに備える。制御装置は、熱交換器１００が潤滑油によって塞がっているか否かを判断する判断手段の１つである。
【０２００】
２）バイパスバルブ５９０を開けて、第１バルブ５１０及び第２バルブ５２０を閉めるステップ
第１）ステップで凝縮または凝固した潤滑油を除去する必要があるか否かを判断して、熱交換器１００の内部で凝縮または凝固した潤滑油を除去することを決定すれば、バイパスラインＢＬ上に設置されたバイパスバルブ５９０を開けて、第１供給ラインＬ１上に設置された第１バルブ５１０及び第２供給ラインＬ２上に設置された第２バルブ５２０を閉める。
【０２０１】
バイパスバルブ５９０を開けて、第１バルブ５１０及び第２バルブ５２０を閉めると、貯蔵タンクＴから排出された蒸発ガスは、バイパスラインＢＬを経て圧縮機２００に送られ、それ以上は熱交換器１００に移送されない。よって、熱交換器１００に、冷媒が供給されなくなる。
【０２０２】
３）貯蔵タンクＴから排出された蒸発ガスを、バイパスラインＢＬを経て圧縮機２００で圧縮するステップ
貯蔵タンクＴから排出された蒸発ガスは、バイパスラインＢＬを介して熱交換器１００を迂回した後、圧縮機２００に送られる。圧縮機２００に送られた蒸発ガスは、圧縮機２００で圧縮されて圧力と共に温度も上昇し、圧縮機２００で約３００ｂａｒの圧力に圧縮された蒸発ガスの温度は、約４０〜４５℃になる。
【０２０３】
４）圧縮機２００で圧縮された高温の蒸発ガスの一部または全部を、熱交換器１００に送るステップ
圧縮機２００で圧縮されて温度が上昇した蒸発ガスを、熱交換器１００に移送し続けると、熱交換器１００の冷媒として使用される貯蔵タンクＴから排出された低温の蒸発ガスが、熱交換器１００に供給されず、温度が高い蒸発ガスのみ継続的に熱交換器１００に供給されるため、圧縮機２００で圧縮された蒸発ガスが通過する熱交換器１００の高温流路の温度が徐々に上昇する。
【０２０４】
熱交換器１００の高温流路の温度が、潤滑油の凝縮または凝固する温度以上になると、熱交換器１００の内部に溜まっていた凝縮または凝固した潤滑油が徐々に融解または粘度が低下して、融解または粘度が低下した潤滑油は、蒸発ガスと混在して熱交換器１００から排出される。
【０２０５】
バイパスラインＢＬを利用して、凝縮または凝固した潤滑油を除去する場合、熱交換器１００が正常化するまで、蒸発ガスをバイパスラインＢＬ、圧縮機２００、熱交換器１００の高温流路、減圧装置６００、及び気液分離器７００を循環させる。
【０２０６】
また、バイパスラインＢＬを利用して、凝縮または凝固した潤滑油を除去する場合、貯蔵タンクＴから排出されてバイパスラインＢＬ、圧縮機２００、熱交換器１００の高温流路、及び減圧装置６００を通過した蒸発ガスを、融解または粘度が低下した潤滑油と蒸発ガスとが混合した状態で、貯蔵タンクＴと別に設置されるタンクや他の回収装置に送ることもできる。貯蔵タンクＴと別に設置されるタンクや他の回収装置の内部の蒸発ガスは、再びバイパスラインＢＬに送られて、凝縮または凝固した潤滑油の除去過程を継続することもできる。
【０２０７】
融解または粘度が低下した潤滑油と蒸発ガスとが混合した流体を、貯蔵タンクＴと別に設置されるタンクや他の回収装置に送る場合、減圧装置６００の下流に気液分離器７００を設置しても、気液分離器７００は既存の蒸発ガスの再液化システムと同じ役割を担うことになり、気液分離器７００の内部に融解または粘度が低下した潤滑油が溜まらないため（融解または粘度が低くなった潤滑油は、貯蔵タンクＴと別に設置されてタンクや他の回収装置に溜まるから）、潤滑油を排出するために改良された気液分離器７００を備えずに済み、費用を低減することができる。
【０２０８】
５）熱交換器１００を通過した蒸発ガスを気液分離器７００に送るステップ
熱交換器１００の高温流路の温度が上昇することで、熱交換器１００の内部に溜まっていた凝縮または凝固した潤滑油は融解または粘度が低下して、蒸発ガスと混合して気液分離器７００に送られる。バイパスラインＢＬを利用して、熱交換器１００の内部で凝縮または凝固した潤滑油を除去する過程では、蒸発ガスの再液化が行われず、気液分離器７００には再液化された液化ガスが集まらないため、気体状態の蒸発ガスと融解または粘度が低下した潤滑油とが溜まることになる。
【０２０９】
気液分離器７００に溜まった気体状態の蒸発ガスは、第６供給ラインＬ６を介して気液分離器７００から排出され、さらにバイパスラインＢＬを介して圧縮機２００に送られる。第２）ステップで第１バルブ５１０を閉めたため、気液分離器７００で分離された気体状態の蒸発ガスは、貯蔵タンクＴから排出された蒸発ガスと合流してバイパスラインＢＬを介して圧縮機２００に供給され、熱交換器１００の低温流路には供給されない。
【０２１０】
したがって、第１バルブ５１０を閉めた状態で、気液分離器７００で分離された気体状態の蒸発ガスをバイパスラインＢＬに供給することにより、蒸発ガスに一部含まれている潤滑油が熱交換器１００の低温流路に供給されることを防止し、熱交換器１００の低温流路が塞がることを防止できるという長所がある。
【０２１１】
気液分離器７００に溜まった気体状態の蒸発ガスは、第６供給ラインＬ６を介して気液分離器７００から排出され、さらにバイパスラインＢＬを介して圧縮機２００に送られる循環過程は、熱交換器１００の高温流路の温度が圧縮機２００で圧縮された後で熱交換器１００の高温流路に送られる蒸発ガスの温度だけ上昇したと判断するまで続けられる。ただし、経験で十分な時間が経過したと判断するまで循環過程を継続することができる。
【０２１２】
バイパスラインＢＬを利用して、熱交換器１００の内部で凝縮または凝固した潤滑油を除去する間には、第８バルブ５８１を閉めて、気液分離器７００に溜まった潤滑油が第５供給ラインＬ５を介して貯蔵タンクＴに移送されないようにする。貯蔵タンクＴに潤滑油が流入すると、貯蔵タンクＴに貯蔵した液化ガスの純度が低下して、液化ガスの価値が低下する虞がある。
【０２１３】
６）気液分離器７００に溜まった潤滑油を排出するステップ
熱交換器１００から排出された融解または粘度が低下した潤滑油は、気液分離器７００の内部に溜まるが、気液分離器７００の内部に溜まった潤滑油を処理するために、本実施形態では、従来使用されていた気液分離器７００を改良した気液分離器７００を使用する。
【０２１４】
図１０は、本発明の一実施形態に係る熱交換器及び気液分離器の拡大図である。説明の便宜上、一部の装置は図示を省略する。
【０２１５】
図１０を参照して、気液分離器７００には、気液分離器７００で分離した液化ガスを貯蔵タンクＴに送る第５供給ラインＬ５に加えて、気液分離器７００に溜まった潤滑油を排出する潤滑油排出ラインＯＬがさらに設置される。気液分離器７００の下部に溜まったオイルを効果的に排出するために潤滑油排出ラインＯＬを気液分離器７００の下端部に連結し、第５供給ラインＬ５の端部を潤滑油排出ラインＯＬが連結した気液分離器７００の下端部よりも気液分離器７００内で高く位置させる。第５供給ラインＬ５が潤滑油によって塞がらないように、気液分離器７００内に溜まった潤滑油が最大量になったときの潤滑油の水位よりも、第５供給ラインＬ５の端部を高く位置させることが好ましい。
【０２１６】
潤滑油排出ラインＯＬ上には、流体の流量及び開閉を調節する第３バルブ５３０が設置され、複数の第３バルブ５３０を設置することもできる。
【０２１７】
気液分離器７００に溜まった潤滑油は自然に排出できないか、または排出に長い時間がかかるため、窒素パージを介して気液分離器７００内部の潤滑油を排出することができる。約５〜７ｂａｒの窒素を気液分離器７００に供給すれば、気液分離器７００内の圧力が高くなることで、オイルの排出が速くなる。
【０２１８】
窒素パージによって気液分離器７００内の潤滑油を排出するために、熱交換器１００の上流の第３供給ラインＬ３に合流するように、窒素供給ラインＮＬが設置される。必要に応じて複数の窒素供給ラインを異なるところに設置してもよい。
【０２１９】
窒素供給ラインＮＬ上に流体の流量及び開閉を調節する窒素バルブ５８３が設置され、窒素供給ラインＮＬを使用しない平常時は、窒素バルブ５８３を閉めた状態に維持し、窒素パージのため気液分離器７００に窒素を供給する場合などの窒素ラインＮＬを使用する必要が生じた場合は、窒素バルブ５８３を開ける。複数の窒素バルブ５８３を設置することもできる。
【０２２０】
気液分離器７００に窒素を直接注入して窒素パージを実施することもできるが、他の用途に使用するための窒素供給ラインが既に設置されている場合は、既に設置された窒素供給ラインを利用して気液分離器７００内の潤滑油を排出することが好ましい。
【０２２１】
貯蔵タンクＴから排出された蒸発ガス全部をバイパスラインＢＬに送って圧縮機２００で圧縮して、圧縮機２００で圧縮された蒸発ガスを熱交換器１００の高温流路に送り、熱交換器１００の高温流路を通過した後に減圧装置６００で減圧した蒸発ガスを気液分離器７００に送り、気液分離器７００から排出された蒸発ガスをさらにバイパスラインＢＬに送る過程を継続して、熱交換器１００の内部で凝縮または凝固した潤滑油の殆どが気液分離器７００に溜まったと判断（すなわち、熱交換器１００が正常化したと判断）したら、圧縮機２００で圧縮された蒸発ガスが熱交換器１００へ流入するのを遮断し、窒素バルブ５８３を開けて窒素パージを実施する。
【０２２２】
７）熱交換器１００が正常化したことを確認するステップ
熱交換器１００の内部で凝縮または凝固した潤滑油が、排出されて熱交換器１００が再び正常化したと判断し、気液分離器７００の内部の潤滑油を排出する過程もすべて終了すると、第１バルブ５１０及び第２バルブ５２０を開けて、バイパスバルブ５９０を閉めた後、さらに蒸発ガスの再液化システムを正常に稼動させる。蒸発ガスの再液化システムが正常に稼動すると、貯蔵タンクＴから排出された蒸発ガスは、熱交換器１００の冷媒として使用され、熱交換器１００の冷媒として使用された蒸発ガスは、圧縮機２００による圧縮過程、熱交換器１００による冷却過程、及び減圧装置６００による減圧過程を経由して、一部または全部が再液化される。
【０２２３】
熱交換器１００が再び正常化したという判断は、凝縮または凝固した潤滑油を除去するか否かを検知する場合と同様に、「低温流れの温度差」、「高温流れの温度差」及び「高温流路の圧力差」のうち１つ以上の数値を指標として使用することができる。
【０２２４】
上述した過程によって、熱交換器１００の内部で凝縮または凝固した潤滑油だけでなく、配管、バルブ、計測器、及び各種機器に溜まった凝縮または凝固した潤滑油も除去することができる。
【０２２５】
従来のものは、熱交換器１００の内部で凝縮または凝固した潤滑油を、バイパスラインＢＬを利用して熱交換器１００から除去する上述のステップを経る間、高圧エンジン及び／または低圧エンジン（以下、「エンジン」という。）を駆動することができる。燃料供給システムまたは再液化システムに設けられた装置の一部を整備する際には、エンジンに燃料を供給することができないか、または余剰蒸発ガスを再液化することができないため、通常はエンジンを駆動しない。
【０２２６】
しかし、本発明は、熱交換器１００の内部で凝縮または凝固した潤滑油を除去しながらエンジンを駆動して、エンジンの運転を続けながら熱交換器１００を整備することができるため、熱交換器１００の整備中にも船舶を推進させて発電をすることができ、エンジンで使用して余った余剰蒸発ガスを利用して凝縮または凝固した潤滑油を除去することができる長所がある。
【０２２７】
さらに、熱交換器１００の内部で凝縮または凝固した潤滑油を除去しながらエンジンを駆動すると、圧縮機２００で圧縮されながら蒸発ガスに混入した潤滑油をエンジンで燃焼できるという長所がある。すなわち、エンジンは、船舶の推進または発電という本来の用途だけでなく、蒸発ガスに混入したオイルを除去する役割も同時に担う。
【０２２８】
一方、凝縮または凝固した潤滑油を除去する必要があるか否かをアラームで知らせる過程は、（ｉ）アラーム活性化ステップ及び／または（ｉｉ）アラーム発生ステップを含む。
【０２２９】
図７は、本発明の第４実施形態に係る蒸発ガスの再液化システムの概略図である。図８は、本発明の一実施形態に係る減圧装置の拡大図である。図９は、本発明の他の実施形態に係る減圧装置の拡大図である。
【０２３０】
図７に示すように、本発明の圧縮機２００，２１０は、２機が並列に設置される。２つの圧縮機２００、２１０は同一仕様であり、一方が故障した場合に、他方は冗長性（Redundancy）の役割を担う。説明の便宜上、他の装置の図示は省略する。
【０２３１】
図７を参照して、圧縮機２００，２１０の２機が並列に設置される場合、貯蔵タンクＴから排出された蒸発ガスは、第７供給ラインＬ２２を介して第２圧縮機２１０に送られ、第２圧縮機２１０で圧縮された蒸発ガスは、一部が燃料供給ラインＳＬを介して高圧エンジンに送られて、余剰蒸発ガスは第８の供給ラインＬ３３を介して熱交換器１００に送られて再液化過程を経る。第８供給ラインＬ３３上には、流体の流量及び開閉を調節する第１０バルブ５７１が設置される。
【０２３２】
また、図８に示すように、２つの減圧装置６００，６１０を並列に設置することや、図９に示すように、直列に設置された２つの減圧装置６００，６１０を２組並列に設置することもできる。
【０２３３】
図８を参照して、並列に設置した２つの減圧装置６００，６１０は、一方が故障した場合、他方は冗長性（Redundancy）の役割を担い、並列に設置された２つの減圧装置６００，６１０の各々の上流と下流とには、隔離（Isolation）バルブ６２０が設置される。
【０２３４】
図９を参照して、２つの減圧装置６００，６１０を夫々直列に連結し、２つが直列に連結した減圧装置の２組６００，６１０を並列に設置した。製造会社によって減圧安定性のために２つの減圧装置６００，６１０を直列に連結する場合がある。並列に設置した２組の減圧装置６００，６１０の一方の組が故障した場合に、他方の組が冗長性（Redundancy）の役割を担う。
【０２３５】
並列に設置した２組の減圧装置６００，６１０の各々の上流と下流とには、隔離（Isolation）バルブ６２０が設置される。図８及び図９に図示した隔離バルブ６２０は、減圧装置６００，６１０の故障時などの減圧装置６００，６１０の維持補修が必要な場合に、減圧装置６００，６１０を隔離（Isolation）するために使用される。
【０２３６】
（ｉ）アラーム活性化ステップ
本発明の蒸発ガスの再液化システムが、図２に示すように１つの圧縮機２００と１つの減圧装置６００とを備える場合、減圧装置６００の開度率が設定値以上であり、第７バルブ５７０が開いた状態であり、第２バルブ５２０が開いた状態であり、気液分離器７００の内部の液化ガスの水位が正常である場合に、アラームが活性化する。
【０２３７】
本発明の蒸発ガスの再液化システムが、図２に示すように１つの圧縮機２００を備え、図８に示すように並列に設置した２つの減圧装置６００，６１０を備える場合、第１減圧装置６００または第２減圧装置６１０の開度率が設定値以上であり、第７バルブ５７０が開いた状態であり、第２バルブ５２０が開いた状態であり、気液分離器７００の内部の液化ガスの水位が正常である場合に（「第１アラーム活性化条件」という。）に、アラームが活性化する。
【０２３８】
本発明の蒸発ガスの再液化システムが、図２に示すように１つの圧縮機２００を備え、図９に示すように並列に設置した２組の減圧装置６００，６１０を備える場合、直列に設置した２つの第１減圧装置６００，６００の一方、または直列設置した２つの第２減圧装置６１０，６１０の一方の開度率が設定値以上であり、第７バルブ５７０が開いた状態であり、第２バルブ５２０が開いた状態であり、気液分離器７００の内部の液化ガスの水位が正常である場合（「第２アラーム活性化条件」という。）に、アラームが活性化する。
【０２３９】
本発明の蒸発ガスの再液化システムが、図７に示すように、並列に設置した２つの圧縮機２００，２１０を備え、図２に示すように１つの減圧装置６００を備える場合、減圧装置６００の開度率が設定値以上であり、第７バルブ５７０または第１０バルブ５７１が開いた状態であり、第２バルブ５２０が開いた状態であり、気液分離器７００の内部液化ガスの水位が正常である場合（「第３アラーム活性化条件」という。）に、アラームが活性化する。
【０２４０】
本発明の蒸発ガスの再液化システムが、図７に示すように並列に設置した２つの圧縮機２００，２１０を備え、図８に示すように並列に設置した２つの減圧装置６００，６１０を備える場合、第１減圧装置６００または第２減圧装置６１０の開度率が設定値以上であり、第７バルブ５７０または第１０バルブ５７１が開いた状態であり、第２バルブ５２０が開いた状態であり、気液分離器７００の内部の液化ガスの水位が正常である場合（「第４アラーム活性化条件」という。）に、アラームが活性化する。
【０２４１】
本発明の蒸発ガスの再液化システムが、図７に示すように、並列に設置した２つの圧縮機２００，２１０を備え、図９に示すように並列に設置した２組の減圧装置６００，６１０を備える場合、直列に設置した２つの第１減圧装置６００，６００の一方、または直列に設置した２つの第２減圧装置６１０，６１０の一方の開度率が設定値以上であり、第７バルブ５７０または第１０バルブ５７１が開いた状態であり、第２バルブ５２０が開いた状態であり、気液分離器７００の内部の液化ガスの水位が正常である場合（「第５アラーム活性化条件」という。）に、アラームが活性化する。
【０２４２】
上述した「第１〜第５アラーム活性化条件」において、第１減圧装置６００または第２減圧装置６１０の開度率の設定値は２％である。気液分離器７００の内部の液化ガスの水位が正常である場合というのは、気液分離器７００の内部の再液化した液化ガスが確認されて再液化過程が正常に行われていると判断できる場合を意味する。
【０２４３】
（ｉｉ）アラーム発生ステップ
「低温流れの温度差」が設定値以上の状態を所定時間以上継続する条件、「高温流れの温度差」が設定値以上の状態を所定時間以上継続する条件及び「高温流路の圧力差」が設定値以上の状態を所定時間以上継続する条件のいずれかを満たす場合に、アラームが鳴って凝縮または凝固した潤滑油を除去する時点を知らせるように構成できる。
【０２４４】
また、信頼性を高めるために、「低温流れの温度差」が設定値以上の状態を所定時間以上継続する条件、「高温流れの温度差」が設定値以上の状態を所定時間以上継続する条件及び「高温流路の圧力差」が設定値以上の状態を所定時間以上継続する条件のうち２つ以上を満たす場合に、アラームが鳴って凝縮または凝固した潤滑油を除去する時点を知らせるように構成できる。
【０２４５】
また、「低温流れの温度差」及び「高温流れの温度差」の中で、より小さい値が設定値以上の状態を所定時間以上継続するか（ｏｒ条件）、「高温流路の圧力差」が設定値以上の状態を所定時間以上継続する場合に、アラームが鳴って凝縮または凝固した潤滑油を除去する時点を知らせるように構成できる。
【０２４６】
本発明において、熱交換器の性能異常、アラーム発生などは、適切な制御手段によって判断することができる。熱交換器の性能異常、アラーム発生などを判断する制御手段は、本発明の蒸発ガスの再液化システムで既に使用されている制御手段、好ましくは、本発明の蒸発ガスの再液化システムを適用した船舶または海洋構造物で既に使用されている制御手段を利用することができ、熱交換器の性能異常、アラーム発生などを判断するために別に設置した制御手段の使用も可能である。
【０２４７】
また、バイパスラインの利用、潤滑油の排出量、エンジンの燃料供給、蒸発ガスの再液化システムの始動または再起動、そのための様々なバルブの開閉などは制御手段によって自動または手動で制御することができる。
【０２４８】
２．貯蔵タンクＴ内の圧力が低い時に圧縮機２００の吸入圧力条件を満たすためにバイパスラインＢＬを利用する場合
貯蔵タンクＴ内の液化ガスの量が少なく、生成する蒸発ガスの量が少ない場合、船舶の速度が速く、船舶の推進のためにエンジンに供給される蒸発ガスの量が多い場合など、貯蔵タンクＴの内部圧力が低い場合には、圧縮機２００が要求する圧縮機２００の上流における吸引圧力条件を満たさない場合がある。
【０２４９】
特に、熱交換器１００にＰＣＨＥ（ＤＣＨＥ）を適用する場合、ＰＣＨＥは流路が狭く貯蔵タンクＴから排出された蒸発ガスがＰＣＨＥを通過すると圧力が大幅に降下する。
【０２５０】
従来は、圧縮機２００が要求する吸入圧力条件を満たさない場合、再循環バルブ５４１，５４２，５４３，５４４を開けて、再循環ラインＲｃ１，Ｒｃ２，Ｒｃ３，Ｒｃ４により蒸発ガスの一部または全部を再循環させて、圧縮機２００を保護していた。
【０２５１】
しかし、蒸発ガスを再循環させる方式で圧縮機２００の吸入圧力条件を満たすと、最終的には圧縮機２００で圧縮された蒸発ガスの量が減る結果となり、再液化性能が低下し、エンジンが要求する燃料消費量を満たさない虞がある。特に、エンジンが要求する燃料消費量を満たさないと、船舶運航に大きな支障を生じるため、貯蔵タンクＴの内部圧力が低い場合でも、圧縮機２００が要求する吸入圧力条件を満たしながら、エンジンが要求する燃料消費量を満たす方法が求められていた。
【０２５２】
本発明は、別の付加的装置を設置しなくても、熱交換器１００の維持補修のために既に設置されたバイパスラインＢＬを利用して、貯蔵タンクＴの内部圧力が低い場合でも圧縮機２００で圧縮された蒸発ガスの量を減少させずに、圧縮機２００が要求する吸入圧力条件を満たすことができる。
【０２５３】
本発明は、貯蔵タンクＴの内部圧力が一定値以下になると、バイパスバルブ５９０を開けて、貯蔵タンクＴから排出された蒸発ガスの一部または全部をバイパスラインＢＬを介して熱交換器１００を迂回させて圧縮機２００に直接送る。
【０２５４】
圧縮機２００が要求する吸入圧力条件に比べて、貯蔵タンクＴの圧力がどれほど不足するかに応じて、バイパスラインＢＬに送られる蒸発ガスの量を調節することができる。すなわち、バイパスバルブ５９０を開けて、第１バルブ５１０及び第２バルブ５２０を閉めて、貯蔵タンクＴから排出される蒸発ガスをすべてバイパスラインＢＬに送ることも、バイパスバルブ５９０、第１バルブ５１０及び第２バルブ５２０の両方を一部だけ開けて、貯蔵タンクＴから排出される蒸発ガスの一部をバイパスラインＢＬに送り、残りを熱交換器１００に送ることもできる。バイパスラインＢＬを介して熱交換器１００を迂回する蒸発ガスの量が増加するほど、蒸発ガスの圧力降下は少なくなる。
【０２５５】
貯蔵タンクＴから排出される蒸発ガスを熱交換器１００から迂回させて圧縮機２００に直接送れば、圧力降下を最小限に抑えることができるという利点があるが、蒸発ガスの冷熱を蒸発ガスの再液化に使用することができなくなるため、貯蔵タンクＴの内部圧力、エンジンが要求する燃料消費量、再液化する蒸発ガスの量などを考慮して、圧力降下を減らすためにバイパスラインＢＬを使用するか否か、及び貯蔵タンクＴから排出される蒸発ガスのどれだけの量をバイパスラインＢＬに送るかを決定することになる。
【０２５６】
例えば、貯蔵タンクＴの内部の圧力が所定値以下であり、船舶が所定速度以上で運航している場合に、バイパスラインＢＬを使用して圧力降下を減らすことが有利であると判断される。具体的には、貯蔵タンクＴの内部の圧力が１．０９ｂａｒ以下であり、船舶の速度が１７ｋｎｏｔ以上の時、バイパスラインＢＬを使用して圧力降下を減らすことが有利であると判断される。
【０２５７】
また、貯蔵タンクＴから排出されるすべての蒸発ガスを、バイパスラインＢＬを介して圧縮機２００に送っても圧縮機２００が要求する吸入圧力の条件を満たさない場合、再循環ラインＲｃ１，Ｒｃ２，Ｒｃ３，Ｒｃ４を使用して吸引圧力条件を満たすようにする。
【０２５８】
すなわち、貯蔵タンクＴの圧力が低下して圧縮機２００が要求する吸入圧力条件を満たすことができなくなると、従来は直ちに再循環ラインＲｃ１，Ｒｃ２，Ｒｃ３，Ｒｃ４を使用して圧縮機２００を保護していたのに対して、本発明は、１次的にバイパスラインＢＬを利用して圧縮機２００の吸入圧力条件を満たし、貯蔵タンクＴから排出されるすべての蒸発ガスをバイパスラインＢＬを介して圧縮機２００に送っても圧縮機２００が要求する吸入圧力条件を満たさない場合に、２次的に再循環ラインＲｃ１，Ｒｃ２，Ｒｃ３，Ｒｃ４を使用する。
【０２５９】
１次的にバイパスラインＢＬを利用した後、２次的に再循環ラインＲｃ１，Ｒｃ２，Ｒｃ３，Ｒｃ４を介して、圧縮機２００の吸入圧力条件を満たすために、再循環バルブ５４１，５４２，５４３，５４４の開放条件の圧力値よりバイパスバルブ５９０の開放条件の圧力値を高く設定する。
【０２６０】
再循環バルブ５４１，５４２，５４３，５４４の開放条件及びバイパスバルブ５９０の開放条件は、圧縮機２００の上流の圧力を因子として用いることが好ましいが、貯蔵タンクＴの内部の圧力を因子として用いることもできる。
【０２６１】
圧縮機２００の上流の圧力は、圧縮機２００の上流に設置する第３圧力センサ（図示せず）によって測定することができ、貯蔵タンクＴの内部の圧力は、第４圧力センサ（図示せず）によって測定することができる。
【０２６２】
一方、気液分離器７００で分離した気体状態の蒸発ガスを排出する第６供給ラインＬ６が、バイパスラインＢＬが第１供給ラインＬ１から分岐するポイントの下流の第１供給ラインＬ１に合流する場合には、圧力降下をある程度防止しながら貯蔵タンクＴから排出される蒸発ガスの一部を熱交換器１００の冷媒として使用するために、バイパスバルブ５９０、第１バルブ５１０、及び第２バルブ５２０の全てを開けた状態でシステムを運用すれば、気液分離器７００で分離した気体状態の蒸発ガスをバイパスラインＢＬに直接送ることができる。
【０２６３】
気液分離器７００で分離した気体状態の蒸発ガスの温度が、貯蔵タンクＴから排出されて熱交換器１００に供給される蒸発ガスの温度よりも低く、気液分離器７００で分離した気体状態の蒸発ガスがバイパスラインＢＬに直接送られると、熱交換器１００の冷却効率が低下する場合があり、気液分離器７００で分離した気体状態の蒸発ガスの少なくとも一部を熱交換器１００に供給することが好ましい。
【０２６４】
ただし、貯蔵タンクＴで発生する蒸発ガス量がエンジンで燃料として要求する蒸発ガス量より少ない場合には、蒸発ガスを再液化する必要がなくなるが、蒸発ガスを再液化する必要がない場合には、熱交換器１００に冷媒を供給する必要がないため、気液分離器７００で分離した気体状態の蒸発ガスをすべてバイパスラインＢＬに送ることができる。
【０２６５】
したがって、本発明では、第６供給ラインＬ６を、バイパスラインＢＬが第１供給ラインＬ１から分岐するポイントの上流の第１供給ラインＬ１に合流させる。第６供給ラインＬ６をバイパスラインＢＬの分岐点の上流の第１供給ラインＬ１に合流させると、貯蔵タンクＴから排出された蒸発ガスと気液分離器７００で分離した気体状態の蒸発ガスがバイパスラインＢＬの分岐点の上流で先に合流した後、バイパスバルブ５９０及び第１バルブ５１０の開度率に応じてバイパスラインＢＬと熱交換器１００とに夫々送る蒸発ガスの流量を決定するため、システムの制御が容易であり、気液分離器７００で分離した気体状態の蒸発ガスがバイパスラインＢＬに直接送られることを防止できる。
【０２６６】
バイパスバルブ５９０は、貯蔵タンクＴの圧力変化に応じて迅速な開度調節ができるように、通常の場合よりも速い反応速度のバルブを用いることが好ましい。
【０２６７】
図３は、本発明の第３実施形態に係る蒸発ガスの再液化システムの概略図である。
【０２６８】
図３に示した第３実施形態の蒸発ガスの再液化システムは、図１に示した第１実施形態の蒸発ガスの再液化システムに比べて、第１圧力センサ９１０及び第２圧力センサ９２０の代わりに差圧センサ９３０を設置する点で相違点があり、以下において前記相違点を中心に説明する。前述した第１実施形態の蒸発ガスの再液化システムと同じ部材については、詳細な説明を省略する。
【０２６９】
本実施形態の蒸発ガスの再液化システムは、第１実施形態と異なり、第１圧力センサ９１０及び第２圧力センサ９２０の代わりに、熱交換器１００の上流の第３供給ラインＬ３の圧力と熱交換器１００の下流の第４供給ラインＬ４の圧力との圧力差を測定する差圧センサ９３０を備える。
【０２７０】
差圧センサ９３０によって「高温流路の圧力差」を検知することができ、第１実施形態と同様に、「高温流路の圧力差」、「低温流れの温度差」及び「高温流れの温度差」の中で１つ以上を指標で使用して、凝縮または凝固した潤滑油を除去するか否かを判断することができる。
【０２７１】
本発明は、前記実施形態に限定されず、本発明の技術的要旨を逸脱しない範囲内で様々な修正または変形が可能であることは、本発明の属する技術分野における通常の知識を有する者において自明である。
【図１】
2020533526.tif 000003
【図２】
2020533526.tif 000004
【図３】
2020533526.tif 000005
【図４】
2020533526.tif 000006
【図５】
2020533526.tif 000007
【図６】
2020533526.tif 000008
【図７】
2020533526.tif 000009
【図８】
2020533526.tif 000010
【図９】
2020533526.tif 000011
【図１０】
2020533526.tif 000012
【図１１】
2020533526.tif 000013
【図１２】
2020533526.tif 000014
【図１３】
2020533526.tif 000015
【国際調査報告】
2020533526.tif 000016
2020533526.tif 000017
2020533526.tif 000018
2020533526.tif 000019
2020533526.tif 000020
2020533526.tif 000021
2020533526.tif 000022
2020533526.tif 000023